(57)【要約】本発明は、ロック式パネル連結具およびそのパネルを開示し、当該パネルユニットはほぞを備え、当該パネル連結具は当該ほぞとマッチするほぞ溝を備え、当該ほぞは、パネルユニットの側辺を超えていない。これにより、資源を節約し、コストを低下させることができる。組立の際に、パネルユニットを平行移動させ、ほぞの下突起をパネル連結具におけるほぞ溝の下溝の範囲に進入させ、ほぞの側面とほぞ溝の側面とを当接させると同時に、ほぞの下突起の内斜面とパネル連結具のほぞ溝の下溝の斜底壁とを接触させ、そして、押圧することでパネルユニットとパネル連結具との間のロック係合を完成する。本発明は、ほぞをほぞ溝に組立てる際の係合位置決めの時に、パネルユニットの表面に対して垂直に押圧することで付勢するので、パネルユニットの組立を行う側とは反対側に対してツールで叩く必要がなくなる。したがって、本発明では、組立を行う際に、パネルユニットの他方側のほぞ溝構造の破壊を引き起こすことなく、さらに、後の組立加工に影響を与えることもないので、目立った実質的特徴と顕著な進歩を有している。
2015510054.tif 000002
【特許請求の範囲】
【請求項１】
表面としての第1平面と、第1平面に対向する第2平面と、3つ以上の側辺とを有し、そのうちの少なくとも2つの側辺に、それぞれほぞ(30、30A、30B、30C、30D、30E、30I)が形成されているパネルユニット(10、10A、10B、10C、10D、10E、10I)から組立ててなるロック式パネルにおいて、
当該パネルユニット(10、10A、10B、10C、10D、10E、10I)の側辺に、当該側辺の内側に凹むタング溝(33、33A、33B、33C、33D、33E)が形成されており、当該タング溝(33、33A、33B、33C、33D、33E)の底面がタング溝底面(330、330A、330B、330C、330D、330E)であり、当該タング溝(33、33A、33B、33C、33D、33E)の上方に、パネルユニット(10、10A、10B、10C、10D、10E、10I)の側辺に向かって突出する上突起(70、70A、70B、70C、70D、70E)が形成されており、当該上突起(70、70A、70B、70C、70D、70E)の外端面が上突起端面(701、701A、701B、701C、701D、701E)であり、当該上突起(70、70A、70B、70C、70D、70E)の底面が上突起底面(702、702A、702B、702C、702D、702E)であり、当該パネルユニット(10、10A、10B、10C、10D、10E、10I)の第2平面の側辺寄りに、上に凹むロック溝(72、72A、72B、72C、72D、72E)が形成されており、当該ロック溝(72、72A、72B、72C、72D、72E)における当該パネルユニット(10、10A、10B、10C、10D、10E、10I)の側辺に向かう面がロック溝内側面(721、721A、721B、721C、721D、721E)であり、当該タング溝(33、33A、33B、33C、33D、33E)とロック溝(72、72A、72B、72C、72D、72E)との間に、突出したほぞ(30、30A、30B、30C、30D、30E、30I)が形成されており、当該ほぞ(30、30A、30B、30C、30D、30E、30I)は下突起(300、300A、300B、300C、300D、300E)を有し、当該ほぞ(30、30A、30B、30C、30D、30E、30I)におけるタング溝(33、33A、33B、33C、33D、33E)に向かう側がほぞ頂面(31、31A、31B、31C、31D、31E)であり、当該ほぞ(30、30A、30B、30C、30D、30E、30I)におけるパネルユニット(10、10A、10B、10C、10D、10E、10I)の側辺に向かう側がほぞ外側面(32、32A、32B、32C、32D、32E)であり、当該ほぞ(30、30A、30B、30C、30D、30E、30I)のほぞ外側面(32、32A、32B、32C、32D、32E)は当該上突起(70、70A、70B、70C、70D、70E)の上突起端面(701、701A、701B、701C、701D、701E)を超えておらず、当該下突起(300、300A、300B、300C、300D、300E)の外側においてほぞ外側面(32、32A、32B、32C、32D、32E)と繋がる面が外斜面(301、301A、301B、301C、301E)であり、当該下突起(300、300A、300B、300C、300D、300E)の内側においてロック溝(72、72A、72B、72C、72D、72E)に向かう面が内斜面(302、302A、302B、302C、302D、302E)であり、
前記ほぞ頂面(31、31B、31C、31D、31E)とタング溝底面(330、330B、330C、330D、330E)との境界に、少なくとも第1凸階(34、34B、34C、34D、34E)が形成されており、当該第1凸階(34、34B、34C、34D、34E)の頂面が係止面(341、341B、341C、341D、341E)であり、パネルユニット(10、10B、10C、10D、10E)の側辺に向かう側が当接面(342、342B、342C、342D、342E)であることを特徴とするロック式パネル。
【請求項２】
前記ほぞ頂面(31C)とタング溝底面(330C)との境界に、第1凸階(34C)および第2凸階(35C)が形成されており、当該第1凸階(34C)の頂面が係止面(341C)であり、側面が当接面(342C)であり、第2凸階(35C)の頂面が係止面(351C)であり、側面が当接面(352C)であることを特徴とする請求項1に記載のロック式パネル。
【請求項３】
前記ほぞ外側面(32D、32E)と下突起(300D、300E)の内斜面(302D、302E)との間に、上溝(51D、51E)が形成されており、当該上溝(51D、51E)の外側においてほぞ外側面(32D、32E)と繋がる面が上側斜面(511D、511E)であり、当該上溝(51D、51E)の内側において内斜面(302D、302E)と繋がる面が外斜面(512D、512E)であることを特徴とする請求項1に記載のロック式パネル。
【請求項４】
前記下突起(300、300A、300B、300C)の外斜面(301、301A、301B、301C)は弧面であることを特徴とする請求項1又は2に記載のロック式パネル。
【請求項５】
前記下突起(300B')の外斜面(301B')は斜面であることを特徴とする請求項1に記載のロック式パネル。
【請求項６】
前記下突起(300、300A、300B、300C、300D)の内斜面(302、302A、302B、302C、302D)は弧面であることを特徴とする請求項1又は2に記載のロック式パネル。
【請求項７】
前記下突起(300D、300E)の外斜面(512D、512E)は斜面であることを特徴とする請求項1又は3に記載のロック式パネル。
【請求項８】
前記下突起(300E)の内斜面(302E)は斜面であることを特徴とする請求項1又は3に記載のロック式パネル。
【請求項９】
前記ほぞ(30A')の底縁には、弾性溝(305A')が開設されていることを特徴とする請求項1に記載のロック式パネル。
【請求項１０】
長尺状をしており、端面が左右対称に設置されており、ベース板(21、21A、21B、21C、21D、21E、21F、21G)と、ベース板(21、21A、21B、21C、21D、21E、21F、21G)の上面中間に位置する直立部(22、22A、22B、22C、22D、22E、22F、22G)とを有し、当該ベース板(21、21A、21B、21C、21D、21E、21F、21G)の底面が底壁(210、210A、210B、210C、210D、210E、210F、210G)であり、両側がベース板側壁(211、211A、211B、211C、211D、211E、211F、211G)である、請求項1に記載のパネルユニットを接続するためのパネル連結具(20、20A、20B、20C、20D、20E、20F、20G、20H、20I)において、
当該ベース板(21、21A、21B、21C、21D、21E、21F、21G)の上面の両側寄りに、上に突出したロックブロック(23、23A、23B、23C、23D、23E、23F、23G)が形成されており、当該直立部(22、22A、22B、22C、22D、22E、22F、22G)の頂部に、両側へ横向きに突出したロックタング(24、24A、24B、24C、24D、24E、24F、24G)が形成されており、当該ロックタング(24、24A、24B、24C、24D、24E、24F、24G)の側面がロックタング側壁(240、240A、240B、240C、240D、240E、240F、240G)であり、当該直立部(22、22A、22B、22C、22D、22E、22F、22G)の頂面が頂壁(220、220A、220B、220C、220D、220E、220F、220G)であり、当該直立部(22、22A、22B、22C、22D、22E、22F、22G)のロックタング(24、24A、24B、24C、24D、24E、24F、24G)とベース板(21、21A、21B、21C、21D、21E、21F、21G)のロックブロック(23、23A、23B、23C、23D、23E、23F、23G)との間に、ほぞ溝(40、40A、40B、40C、40D、40E、40F、40G)が形成されており、当該ほぞ溝(40、40A、40B、40C、40D、40E、40F、40G)は、ロックタング(24、24A、24B、24C、24D、24E、24F、24G)の下面に上溝壁(41、41A、41B、41C、41D、41E、41F、41G)が形成され、直立部(22、22A、22B、22C、22D、22E、22F、22G)の側辺に内溝壁(42、42A、42B、42C、42D、42E、42F、42G)が形成され、ベース板(21、21A、21B、21C、21D、21E、21F、21G)の上面に下溝(400、400A、400B、400C、400D、400E、400F、400G)が形成されており、前記ロックブロック(23、23A、23B、23C、23D、23E、23F、23G)は、当該下溝(400、400A、400B、400C、400D、400E、400F、400G)とベース板側壁(211、211A、211B、211C、211D、211E、211F、211G)との間に形成されており、当該ロックブロック(23、23A、23B、23C、23D、23E、23F、23G)の断面がテーパ状をしており、当該下溝(400、400A、400B、400C、400D、400E、400F、400G)のロックブロック(23、23A、23B、23C、23D、23E、23F、23G)寄りの内側に斜底壁(410、410A、410B、410C、410D、410E、410F、410G)が形成されており、
前記ほぞ溝(40A、40B、40C、40D、40E、40F、40G)の上溝壁(41A、41B、41C、41D、41E、41F、41G)と内溝壁(42A、42B、42C、42D、42E、42F、42G)との間に、少なくとも第1凸条(43A、43B、43C、43D、43E、43F、43G)が形成されており、前記第1凸条(43A、43B、43C、43D、43E、43F、43G)の底面が係止面(431A、431B、431C、431D、431E、431F、431G)であり、側面が当接面(432A、432B、432C、432D、432E、432F、432G)であることを特徴とするパネル連結具。
【請求項１１】
前記ほぞ溝(40C)の上溝壁(41C)と内溝壁(42C)との間に第1凸条(43C)と第2凸条(44C)とが形成されており、前記第1凸条(43C)の底面が係止面(431C)であり、側面が当接面(432C)であり、前記第2凸条(44C)の底面が係止面(441C)であり、側面が当接面(442C)であることを特徴とする請求項10に記載のパネル連結具。
【請求項１２】
前記内溝壁(42D、42E、42F、42G)と下溝(400D、400E、400F、400G)の斜底壁(410D、410E、410F、410G)との間に、上隆起部(60D、60E、60F、60G)が形成されており、当該上隆起部(60D、60E、60F、60G)の外側において下溝(400D、400E、400F、400G)の斜底壁(410D、410E、410F、410G)と繋がる面が側斜面(601D、601E、601F、601G)であり、当該上隆起部(60D、60E、60F、60G)の上側において内溝壁(42D、42E、42F、42G)と繋がる面が上斜面(602D、602E、602F、602G)であることを特徴とする請求項10に記載のパネル連結具。
【請求項１３】
前記上隆起部(60E)の側斜面(601E)と上斜面(602E)との間に、切欠き溝(603E)が形成されていることを特徴とする請求項12に記載のパネル連結具。
【請求項１４】
前記直立部(22)の頂壁(220)に、溝(221、222)が複数本設けられていることを特徴とする請求項10、11、12又は13に記載のパネル連結具。
【請求項１５】
前記パネル連結具(20C')の頂壁(220C')上に、広溝(223C')が1本設けられるとともに、当該広溝(223C')の底面に、溝(224C')が1本設けられていることを特徴とする請求項10又は11に記載のパネル連結具。
【請求項１６】
前記パネル連結具(20C'')の頂壁(220C'')に、ロックタング(24C'')の部分を弾性変形可能にする中央凹溝(225C'')が1本設けられていることを特徴とする請求項10又は11に記載のパネル連結具。
【請求項１７】
前記ベース板(21、21B、21C、21D、21E、21F、21G)の底面の底壁(210、210B、210C、210D、210E、210F、210G)に、当該パネル連結具(20、20B、20C、20D、20E、20F、20G)の長手方向に沿う浅溝(212、212B、212C、212D、212E、212F、212G)が複数本設けられていることを特徴とする請求項10、11、12又は13に記載のパネル連結具。
【請求項１８】
前記ロックブロック(23)の最高点とベース板側壁(211)との間における当該ロックブロック(23)の外側には、傾斜している案内面(420)が形成されていることを特徴とする請求項10、11、12又は13に記載のパネル連結具。
【請求項１９】
前記パネル連結具(20)の直立部(22)の頂部における両ロックタング(24)のロックタング側壁(240)の間の距離は、当該ベース板(21)の底壁(210)における両側のベース板側壁(211)の間の距離よりも小さいことを特徴とする請求項10、11、12又は13に記載のパネル連結具。
【請求項２０】
前記パネル連結具(20D')のベース板(21D')と直立部(22D')と境界の内側に、キャビティ(80D')が形成されており、直立部(22D')とロックタング(24D')との境界の内側に、キャビティ(82D')が形成されていることを特徴とする請求項10に記載のパネル連結具。
【請求項２１】
前記パネル連結具(20D')のロックタング(24D')におけるロックタング側壁(240D')と上溝壁(41D')との境界は斜面を呈し、前記パネル連結具(20D')の第1凸条(43D')の係止面(431D')と当接面(432D')との境界は斜面を呈していることを特徴とする請求項10又は20に記載のパネル連結具。
【請求項２２】
前記パネル連結具(20D')のベース板(21D')の両側のベース板側壁(211D')は内に凹む壁面を呈していることを特徴とする請求項10又は20に記載のパネル連結具。
【請求項２３】
前記パネルユニット(10D')の第1平面と上突起端面(701D')との境界は斜面を呈していることを特徴とする請求項10又は20に記載のパネル連結具。
【請求項２４】
前記パネルユニット(10D')の上突起(70D')の上突起端面(701D')と上突起底面(702D')との境界は円弧面を呈していることを特徴とする請求項10又は20に記載のパネル連結具。
【請求項２５】
前記パネルユニット(10D')の第1凸階(34D')の係止面(341D')と当接面(342D')との境界は斜面を呈し、前記パネルユニット(10D')のほぞ(30D')のほぞ頂面(31D')とほぞ外側面(32D')との境界は斜面を呈していることを特徴とする請求項10又は20に記載のパネル連結具。
【請求項２６】
前記パネル連結具(20F)のほぞ溝(40F)の壁面に、パネル連結具(20F)の材料よりも軟質な材料の緩衝層が一層設けられていることを特徴とする請求項10又は20に記載のパネル連結具。
【請求項２７】
前記緩衝層は、斜底壁(410F)、側斜面(601F)、上斜面(602F)、内溝壁(42F)、係止面(431F)、当接面(432F)、および上溝壁(41F)の表面に覆っていることを特徴とする請求項26に記載のパネル連結具。
【請求項２８】
前記ロックタング(24F)のロックタング側壁(240F)の表面に緩衝層が設置されていることを特徴とする請求項27に記載のパネル連結具。
【請求項２９】
前記斜底壁(410F')、側斜面(601F')、上斜面(602F')、内溝壁(42F')、係止面(431F')、当接面(432F')、上溝壁(41F')、およびロックタング側壁(240F')、頂壁(220F')の表面に、緩衝層が設置されていることを特徴とする請求項10又は20に記載のパネル連結具。
【請求項３０】
前記パネル連結具(20G)の直立部(22G)の頂壁(220G)の中央に、ロックタング(24G)および第1凸条(43G)の部分を弾性変形可能にする中央凹溝(84G)が形成されていることを特徴とする請求項10又は20に記載のパネル連結具。
【請求項３１】
前記パネル連結具(20G)の直立部(22G)の頂壁(220G)の中央に、ロックタング(24G)および第1凸条(43G)の部分を弾性変形可能にする中央凹溝(84G)が形成されていることを特徴とする請求項29に記載のパネル連結具。
【請求項３２】
前記パネル連結具(20H)のロックタング(24H)の頂壁(220H)の中央に、一体的に上に延出する緩衝片(226H)が設けられていることを特徴とする請求項10又は20に記載のパネル連結具。
【請求項３３】
前記パネル連結具(20H')のロックタング(24H')の頂壁(220H')の中央に、一体的に上に延出する緩衝片(226H')が設けられていることを特徴とする請求項26に記載のパネル連結具。
【請求項３４】
前記パネル連結具(20H'')のロックタング(24H'')の頂壁(220H'')の中央に、一体的に上に延出する緩衝片(226H'')が設けられていることを特徴とする請求項29に記載のパネル連結具。
【請求項３５】
第1平面と、第2平面と、3つ以上の側辺とを有し、そのうちの少なくとも2つの側辺に、それぞれほぞ(30)が形成されているパネルユニット(10)から組立ててなるロック式パネルであって、長尺状をしており、端面が左右対称に設置されたパネル連結具(20)であって、ベース板(21)と、ベース板(21)の上面中間に位置する直立部(22)とを有し、当該ベース板(21)の底面が底壁(210)であり、両側がベース板側壁(211)であるロック式パネル連結具およびそのパネルにおいて、
当該パネルユニット(10)の側辺に、当該側辺の内側に凹むタング溝(33)が形成されており、当該タング溝(33)の底面がタング溝底面(330)であり、当該タング溝(33)の上方に、パネルユニット(10)の側辺に向かって突出する上突起(70)が形成されており、当該上突起(70)の外端面が上突起端面(701)であり、当該上突起(70)の底面が上突起底面(702)であり、当該パネルユニット(10)の第2平面の側辺寄りに、上に凹むロック溝(72)が形成されており、当該ロック溝(72)における当該パネルユニット(10)の側辺に向かう面がロック溝内側面(721)であり、当該タング溝(33)とロック溝(72)との間に、突出したほぞ(30)が形成されており、当該ほぞ(30)は下突起(300)を有し、当該ほぞ(30)におけるタング溝(33)に向かう側がほぞ頂面(31)であり、当該ほぞ(30)におけるパネルユニット(10)の側辺に向かう側がほぞ外側面(32)であり、当該ほぞ(30)のほぞ外側面(32)は当該上突起(70)の上突起端面(701)を超えておらず、当該下突起(300)の外側においてほぞ外側面(32)と繋がる面が外斜面(301)であり、当該下突起(300)の内側においてロック溝(72)に向かう面が内斜面(302)であり、
当該パネル連結具(20)のベース板(21)の上面の両側寄りに、上に突出したロックブロック(23)が形成されており、当該直立部(22)の頂部に、両側へ横向きに突出したロックタング(24)が形成されており、当該ロックタング(24)の側面がロックタング側壁(240)であり、当該直立部(22)の頂面が頂壁(220)であり、当該直立部(22)のロックタング(24)とベース板(21)のロックブロック(23)との間にほぞ溝(40)が形成されており、当該ほぞ溝(40)は、ロックタング(24)の下面に上溝壁(41)が形成され、直立部(22)の側辺に内溝壁(42)が形成され、ベース板(21)の上面に下溝(400)が形成されており、前記ロックブロック(23)は、当該下溝(400)とベース板側壁(211)との間に形成されており、当該ロックブロック(23)の断面がテーパ状をしており、当該下溝(400)のロックブロック(23)寄りの内側に斜底壁(410)が形成されており、
前記パネル連結具(20A、20B)のほぞ溝(40A、40B)の上溝壁(41A、41B)と内溝壁(42A、42B)の間に、第1凸条(43A、43B)が形成されており、前記第1凸条(43A、43B)の底面が係止面(431A、431B)であり、側面が当接面(432A、432B)であり
当該パネルユニット(10)のほぞ(30A、30B)をパネル連結具(20)のほぞ溝(40A、40B)に係合する際のロック位置決めの時に、当該ほぞ(30A、30B)のほぞ頂面(31A、31B)が第1凸条(43A、43B)の係止面(431A、431B)に当接し、ロックブロック(23A、23B)がロック溝(72A、72B)に係合し、そのほぞ(30A、30B)の下突起(300A、300B)の内斜面(302A、302B)がほぞ溝(40A、40B)の斜底壁(410A、410B)に当接することを特徴とするロック式パネル連結具およびそのパネル。
【請求項３６】
前記パネルユニット(10)のほぞ頂面(31、31B)とタング溝底面(330、330B)との境界に、第1凸階(34、34B)が形成されており、当該第1凸階(34、34B)の頂面が係止面(341、341B)であり、側面が当接面(342、342B)であることを特徴とする請求項35に記載のロック式パネル連結具およびそのパネル。
【請求項３７】
前記パネルユニット(10)のほぞ(30)の下突起(300)の最低点とそのほぞ(30)のほぞ外側面(32)の最高点との垂直延伸線の間の水平距離(L1)は、パネル連結具(20)のロックブロック(23)の最高点とロックタング側壁(240)の最低点との垂直延伸線の間の水平距離(L2)よりも小さいことを特徴とする請求項35に記載のロック式パネル連結具およびそのパネル。
【請求項３８】
前記パネルユニット(10)のほぞ(30)の下突起(300)の最低点とそのほぞ(30)の第1凸階(34)の当接面(342)との垂直延伸線の間の水平距離(L3)は、ほぞ溝(40)の斜底壁(410)の最低点とロックタング側壁(240)の最低点との垂直延伸線の間の水平距離(L4)よりも大きいことを特徴とする請求項36に記載のロック式パネル連結具およびそのパネル。
【請求項３９】
前記パネルユニット(10A、10B、10D、10E)のほぞ(30A、30B、30D、30E)の下突起(300A、300B、300D、300E)の最低点とそのほぞ外側面(32A、32B、32D、32E)の最高点との垂直延伸線の間の水平距離(L1A、L1B、L1D、L1E)は、パネル連結具(20A、20B、20D、20E)のロックブロック(23A、23B、23D、23E)の最高点と当該第1凸条(43A、43B、43D、43E)の当接面(432A、432B、432D、432E)の最低点との垂直延伸線の間の水平距離(L2A、L2B、L2D、L2E)よりも小さいことを特徴とする請求項36に記載のロック式パネル連結具およびそのパネル。
【請求項４０】
パネルユニット(10A、10B、10D、10E)のほぞ(30A、30B、30D、30E)の下突起(300A、300B、300D、300E)の最低点とそのほぞ外側面(32A、32B、32D、32E)の最高点との垂直延伸線の間の水平距離(L1A、L1B、L1D、L1E)は、パネル連結具(20A、20B、20D、20E)のほぞ溝(40A、40B、40D、40E)の斜底壁(410A、410B、410D、410E)の最低点と第1凸条(43A、43B、43D、43E)の当接面(432A、432B、432D、432E)の最低点との垂直延伸線の間の水平距離(L4A、L4B、L4D、L4E)よりも大きいことを特徴とする請求項36に記載のロック式パネル連結具およびそのパネル。
【請求項４１】
パネルユニット(10、10B、10C、10D、10E)のタング溝底面(330、330B、330C、330D、330E)と第1凸階(34、34B、34C、34D、34E)の当接面(342、342B、342C、342D、342E)の最外側との垂直延伸線の間の水平距離(L5、L5B、L5C、L5D、L5E)は、パネル連結具(20、20B、20C、20D、20E)のロックタング側壁(240、240B、240C、240D、240E)の最外側とほぞ溝(40、40B、40C、40D、40E)の内溝壁(42、42B、42C、42D、42E)の最高点との垂直延伸線の間の水平距離(L6、L6B、L6C、L6D、L6E)よりも小さいことを特徴とする請求項36に記載のロック式パネル連結具およびそのパネル。
【請求項４２】
パネルユニット(10A、10B、10C、10D、10E)のタング溝底面(330A、330B、330C、330D、330E)とほぞ外側面(32A、32B、32C、32D、32E)の最高点との垂直延伸線の間の水平距離(L7A、L7B、L7C、L7D、L7E)は、パネル連結具(20A、20B、20C、20D、20E)のロックタング側壁(240A、240B、240C、240D、240E)の最外側と第1凸条(43A、43B、43C、43D、43E)の当接面(432A、432B、432C、432D、432E)の最低点との垂直延伸線の間の水平距離(L8A、L8B、L8C、L8D、L8E)よりも大きいことを特徴とする請求項36に記載のロック式パネル連結具およびそのパネル。
【請求項４３】
前記下突起(300、300A、300B、300C)の外斜面(301、301A、301B、301C)および内斜面(302、302A、302B、302C)は弧面であることを特徴とする請求項35又は36に記載のロック式パネル連結具およびそのパネル。
【請求項４４】
前記パネルユニット(10C)のほぞ頂面(31C)とタング溝底面(330C)との境界に、第1凸階(34C)と第2凸階(35C)とが形成されており、当該第1凸階(34C)の頂面が係止面(341C)であり、側面が当接面(342C)であり、第2凸階(35C)の頂面が係止面(351C)であり、側面が当接面(352C)であり、パネル連結具(20C)のほぞ溝(40C)の上溝壁(41C)と内溝壁(42C)との間に、第1凸条(43C)と第2凸条(44C)とが形成されており、前記第1凸条(43C)の底面が係止面(431C)であり、側面が当接面(432C)であり、前記第2凸条(44C)の底面が係止面(441C)であり、側面が当接面(442C)であることを特徴とする請求項35に記載のロック式パネル連結具およびそのパネル。
【請求項４５】
前記パネルユニット(10C)のほぞ(30C)の下突起(300C)の最低点とそのほぞ外側面(32C)の最高点との垂直延伸線の間の水平距離(L1C)は、パネル連結具(20C)のロックブロック(23C)の最高点と当該第2凸条(44C)の当接面(442C)の最低点との垂直延伸線の間の水平距離(L2C)よりも小さいことを特徴とする請求項44に記載のロック式パネル連結具およびそのパネル。
【請求項４６】
前記パネルユニット(10C)のほぞ(30C)の下突起(300C)の最低点とそのほぞ外側面(32C)の最高点との垂直延伸線の間の水平距離(L1C)は、パネル連結具(20C)のほぞ溝(40C)の斜底壁(410C)の最低点と第2凸条(44C)の当接面(442C)の最低点との垂直延伸線の間の水平距離(L4C)よりも大きいことを特徴とする請求項45に記載のロック式パネル連結具およびそのパネル。
【請求項４７】
前記パネルユニット(10C)のタング溝底面(330C)とほぞ外側面(32C)の最高点との垂直延伸線の間の水平距離(L7C)は、パネル連結具(20C)のロックタング側壁(240C)の最外側と第1凸条(43C)の当接面(432C)の最高点との垂直延伸線の間の水平距離(L8C)よりも大きいことを特徴とする請求項46に記載のロック式パネル連結具およびそのパネル。
【請求項４８】
前記パネル連結具(20、20A、20B、20C、20D)の直立部(22、22A、22B、22C、22D)の頂部における両ロックタング(24、24A 、24B、24C、24D)のロックタング側壁(240、240A、240B、240C、240D)の間の距離は、当該ベース板(21、21A、21B、21C、21D)の底壁における両側のベース板側壁(211、211A、211B、211C、211D)の間の距離よりも小さいことを特徴とする請求項35に記載のロック式パネル連結具およびそのパネル。
【請求項４９】
前記パネル連結具(20D)の内溝壁(42D)と下溝(400D)の斜底壁(410D)との間に、上隆起部(60D)が形成されており、当該上隆起部(60D)の外側において下溝(400D)の斜底壁(410D)と繋がる面が側斜面(601D)であり、当該上隆起部(60D)の内側において内溝壁(42D)と繋がる面が上斜面(602D)であり、前記パネルユニット(10D)のほぞ(30D)は下突起(300D)を有し、当該ほぞ外側面(32D)と下突起(300D)の内斜面(302D)との間に、上溝(51D)が形成されており、当該上溝(51D)の外側においてほぞ外側面(32D)と繋がる面が上側斜面(511D)であり、当該上溝(51D)の内側において内斜面(302D)と繋がる面が外斜面(512D)であることを特徴とする請求項35に記載のロック式パネル連結具およびそのパネル。
【請求項５０】
パネルユニット(10D)の下突起(300D)の外斜面(512D)は斜面であり、内斜面(302D)は弧面であり、パネルユニット(10D)の上溝(51D)の上側斜面(511D)は斜面であり、パネル連結具(20D)の下溝(400D)の斜底壁(410D)は弧面であり、パネル連結具(20D)の上隆起部(60D)の側斜面(601D)と上斜面(602D)とはいずれも斜面であることを特徴とする請求項49に記載のロック式パネル連結具およびそのパネル。
【請求項５１】
前記パネルユニット(10)とパネル連結具(20)とが同じ平面において接近し接触する時に、その接触位置の少なくとも一方側が斜面又は弧面であることを特徴とする請求項35又は36に記載のロック式パネル連結具およびそのパネル。
【請求項５２】
前記パネルユニット(10)とパネル連結具(20)とが同じ平面において接近し接触する時に、当該パネルユニット(10)の傾斜している外斜面(301)とパネル連結具(20)のロックブロック(23)とが接触することを特徴とする請求項35又は36に記載のロック式パネル連結具およびそのパネル。
【請求項５３】
前記当該ロックブロック(23)の最高点とベース板側壁(211)との間における当該ロックブロック(23)の外側に、傾斜している案内面(420)が形成されていることを特徴とする請求項35又は36に記載のロック式パネル連結具およびそのパネル。
【請求項５４】
前記パネルユニット(10)とパネル連結具(20)とが同じ平面において接近し接触する時に、当該パネルユニット(10)の傾斜している外斜面(301)とパネル連結具(20)のロックブロック(23)の案内面(420)とが接触することを特徴とする請求項53に記載のロック式パネル連結具およびそのパネル。
【請求項５５】
前記ロックタング(24)の頂壁(220)に、溝(221、222)が複数本設けられていることを特徴とする請求項35に記載のロック式パネル連結具およびそのパネル。
【請求項５６】
前記パネルユニット(10A')のほぞ(30A')の底縁に、弾性溝(305A')が開設されていることを特徴とする請求項35に記載のロック式パネル連結具およびそのパネル。
【請求項５７】
第1平面と、第2平面と、3つ以上の側辺とを有し、そのうちの少なくとも2つの側辺に、それぞれほぞ(30A、30B)が形成されているパネルユニット(10A、10B)から組立ててなるロック式パネルであって、長尺状をしており、その端面が左右対称に設置されたパネル連結具(20A、20B)であって、ベース板(21A、21B)と、ベース板(21A、21B)の上面中間に位置する直立部(22A、22B)とを有し、当該ベース板(21A、21B)の両側がベース板側壁(211A、211B)である、ロック式パネル連結具およびそのパネルの結合方法において、
当該パネルユニット(10A、10B)の側辺に、当該側辺の内側に凹むタング溝(33A、33B)が形成されており、当該タング溝(33A、33B)の底面がタング溝底面(330)であり、当該タング溝(33)の上方に、パネルユニット(10)の側辺に向かって突出する上突起(70)が形成されており、当該パネルユニット(10)の第2平面の側辺寄りに、上に凹むロック溝(72A、72B)が形成されており、当該タング溝(33A、33B)とロック溝(72A、72B)との間に、突出したほぞ(30A、30B)が形成されており、当該ほぞ(30A、30B)におけるパネルユニット(10A、10B)の側辺に向かう側がほぞ外側面(32A、32B)であり、当該ほぞ(30A、30B)は下突起(300A、300B)を有し、当該ほぞ(30A、30B)におけるタング溝(33A、33B)に向かう側がほぞ頂面(31A、31B)であり、当該ほぞ(30A、30B)におけるパネルユニット(10A、10B)の側辺に向かう側がほぞ外側面(32A、32B)であり、当該下突起(300A、300B)の外側においてほぞ外側面(32A、32B)と繋がる面が外斜面(301A、301B)であり、当該下突起(300A、300B)の内側においてロック溝(72A、72B)に向かう面が内斜面(302A、302B)であり、
当該パネル連結具(20A、20B)のベース板(21A、21B)の上面の両側寄りに、上に突出したロックブロック(23A、23B)が形成されており、当該直立部(22A、22B)の頂部に、両側へ横向きに突出したロックタング(24A、24B)が形成されており、当該直立部(22A、22B)のロックタング(24A、24B)とベース板(21A、21B)のロックブロック(23A、23B)との間に、ほぞ溝(40A、40B)が形成されており、当該ほぞ溝(40A、40B)は、ロックタング(24A、24B)の下面に上溝壁(41A、41B)が形成され、直立部(22A、22B)の側辺に、内溝壁(42A、42B)が形成され、ベース板(21A、21B)の上面に下溝(400A、400B)が形成されており、前記ロックブロック(23A、23B)は、当該下溝(400A、400B)とベース板側壁(211A、211B)との間に形成されており、当該下溝(400A、400B)のロックブロック(23A、23B)寄りの内側に斜底壁(410A、410B)が形成されており、
前記パネル連結具(20A、20B)のほぞ溝(40A、40B)の上溝壁(41A、41B)と内溝壁(42A、42B)の間に、第1凸条(43A、43B)が形成されており、前記第1凸条(43A、43B)の底面が係止面(431A、431B)であり、側面が当接面(432A、432B)であり、
当該結合方法は、
a.前記ほぞ(30A、30B)を備えるパネルユニット(10A、10B)を、当該パネルユニット(10A、10B)のほぞ(30A、30B)の外斜面(301A、301B)が、パネル連結具(20A、20B)のベース板(21A、21B)の側辺に当たるまで、同じ平面において前記ほぞ溝(40A、40B)を備えるパネル連結具(20A、20B)へ移動させるステップと、
b.当該パネルユニット(10A、10B)のほぞ(30A、30B)の外斜面(301A、301B)が当該パネル連結具(20A、20B)のベース板(21A、21B)の側辺により案内され持ち上げられるように、当該パネルユニット(10A、10B)を移動し続けるステップと、
c.当該ほぞ(30A、30B)の下突起(300A、300B)の最低点が、当該パネル連結具(20A、20B)のロックブロック(23A、23B)の最高点を超え、当該ほぞ(30A、30B)の下突起(300A、300B)が、パネル連結具(20A、20B)のほぞ溝(40A、40B)の下溝(400A、400B)の範囲に進入するように、当該パネルユニット(10A、10B)を移動し続けるステップと、
d.前記ほぞ(30A、30B)のほぞ外側面(32A、32B)がパネル連結具(20A、20B)の第1凸条(43A、43B)の当接面(432A、432B)に当接し、当該パネルユニット(10A、10B)が移動できなくなると同時に、そのほぞ(30A、30B)の下突起(300A、300B)がパネル連結具(20A、20B)の下溝(400A、400B)の範囲に位置し、当該ほぞ(30A、30B)の下突起(300A、300B)の内斜面(302A、302B)とパネル連結具(20A、20B)の下溝(400A、400B)の斜底壁(410A、410B)とが接触するまで、当該パネルユニット(10A、10B)を移動し続けるステップと、
e.当該パネルユニット(10A、10B)の第1平面が持ち上げられた側辺から、第2平面の方向へ押圧することで、当該ほぞ(30A、30B)をほぞ溝(40A、40B)に押込み、ロック位置決めするステップと、を備えることを特徴とする、ロック式パネル連結具およびそのパネルの結合方法。
【発明の詳細な説明】
【技術分野】
【０００１】
本発明は、ロック式パネル連結具およびそのパネルに関し、例えば、床パネル又は壁パネル等の接合・組立可能なパネルユニットおよび当該パネルユニットを接合し、組立てるパネル連結具、特に、パネルユニットの側辺にほぞが設置され、パネル連結具の側辺に当該ほぞとマッチするほぞ溝が設置されることにより、パネル連結具によってパネルユニットを相互にロック接合することができるロック式パネル連結具およびそのパネルに関する。
【背景技術】
【０００２】
以前から、ロック式の床パネルは適用されつつあり、その組立てが便利で、かつパネルブロックの間の相互接続・組合せを可能にしたので、消費者により広く採用され、より実用性のある製品を設計するために、当業者も鋭意に研究、改良に取り組んでいる。現在、このようなロック式の床パネルの構造は、床パネルの分野だけでなく、既に壁パネル等の接合・組立可能な装飾用パネルにも適用されている。
【０００３】
従来のロック式の床パネルの構造について分析すると、主に、床パネルユニットの2つの対向する側辺に、互いにマッチするほぞとほぞ溝を設置することで、床パネルユニットの2つの対向する側辺に設置されたほぞおよびほぞ溝を利用して直接に組立て、結合することができるものと、連結具により床パネルユニットにマッチするものであって、床パネルユニットの2つの対向する側辺に、連結具の両側とマッチする構造のほぞ溝を設置することで、連結具により床パネルユニットを組立て、結合するものとの2つのタイプに分けられる。
【０００４】
まず、床パネルユニットの2つの対向する側辺に互いにマッチするほぞとほぞ溝が設置された構造について、私営会社Unilinによる特許許可されたCN97190692.0「硬質パネルユニットから構成される床パネルおよびそのパネルユニットの製造方法」等のシリーズの中国発明特許出願（当該会社Unilin Beheer BVが米国で取得した6,874,292号「Floor panels with edge connectors」等のシリーズの米国特許出願に対応する）を例として説明する。このシリーズの特許出願は、今まで計二十件以上あり、基本的な構造が殆ど同じであり、即ち、パネルユニットの2つの対向する側辺に、それぞれタング状物と溝とから構成される接続部分が設置され、当該接続部分には、2つの相互接続されるパネルユニットが、接続エッジに垂直な方向と、相互接続されるパネルユニットの下辺に平行する方向上に外れることを防止するための一体的な機械的ロック装置が設けられたものである。このような設計では、生産時に2組の刃物が必要であり、設備に対する要求が高く、また、組立時に、組立方向を選定する必要があり、組立作業員にとっても迷惑である。さらに、最大な欠点は、当該タング状物と溝を製作するために、一定の幅のパネルを損失しなければならず、パネルから突出したタング状物と溝により損失されたパネル原料の幅がパネル幅全体の10％であれば、生産された製品である床パネルの面積が10％減少し、生産コストが10％増加することになり、自然資源に対しても大きな浪費になることである。
【０００５】
次に、もう一つのタイプである連結具と床パネルユニットとをマッチさせる構造について分析すると、このような構造では、対称式の連結具の設計を採用することが好ましく、対称式の連結具の設計を採用すると、パネルユニットの2つの対向する側辺に、パネル連結具の連結ほぞとマッチする連結溝を設置できるためである。出願番号200910304656.1の中国発明特許出願では、「床パネルの連結具および床パネルの連結構造」であり、連結具の両側にそれぞれ連結ほぞが設けられており、連結ほぞの上、下面に係合体が形成され、床パネルユニットのエッジに連結具の連結ほぞにマッチする連結溝が設けられるとともに、当該連結溝の内端に係合体にマッチする係合溝が形成されており、組立時に、連結具の両連結ほぞを両側の床パネルユニットの連結溝に挿入することで接続し、組立てることができる。この設計は理論上実行できるが、実際の応用において、第1、床パネルユニットのエッジに形成された連結溝の内端に係合体とマッチする係合溝を開設することが難しく、従来の生産設備では、水平に開設された連結溝の内端に、垂直方向の係合溝を一括して同時に開設することができない；第2、床パネルユニットが連結具により結合位置決めされた後、水平方向のロック力は連結具の材料の弾性によるものであり、連結具の弾性が小さいと、水平方向のロック力が不十分になり、十分なロック力を得るには、弾性の高い材料で連結具を製作する必要があるが、これにより、組立時に、床パネルユニットの他方側から叩くことで連結具と床パネルユニットとの結合部を変形させて組立を行う必要があり、床パネルの着脱作業の際に不便が生じ、さらに床パネルユニットの他方側のほぞ溝構造を破壊する可能性がある、という不具合がある。
【０００６】
米国発明特許出願US 6,460,306号「INTERCONNECTING DISENGAGEABLE FLOORING SYSTEM」、US 6,769,217号「INTERCONNECTING DISENGAGEABLE FLOORING SYSTEM」、US 7,614,197号「LAMINATE FLOORING」には、連結具が開示されており、中国実用新案特許出願ZL02249916.4号「接合木製床パネル」には、類似する連結具が開示されており、当該連結具には、一対の反対方向のほぞタングが設けられ、当該連結具の下部にはベース板が設けられ、当該ベース板が中間直立板により連結具と接続され、当該ベース板の上面両側には、位置決め凸条が対称して設けられ、当該木製床パネルユニットの両側面には、それぞれほぞ溝が設けられ、木製床パネルユニットの両側寄りの底面には、対応する位置決め溝が設置されている。組立時に、当該連結具のほぞタングとほぞ溝とを係合させ、ベース板の上面における位置決め凸条を当該位置決め溝内に嵌入させて係合させることで、連結具により隣り合う木製床パネルユニットを一体に接続することができる。このような連結具は、ほぞタングと木製床パネルユニットのほぞ溝との嵌合により、隣り合う両木製床パネルユニット間の垂直方向におけるロック作用を提供できるとともに、連結具のベース板の上面の位置決め凸条と木製床パネルユニットの底面の位置決め溝との嵌合により、隣り合う両木製床パネルユニット間の水平方向におけるロック作用を提供できるので、床パネルユニットを結合する効果を確実に達成できる。しかし、このような設計では、連結具のベース板の上面に位置決め凸条が設けられているので、組合せの際に、一方の床パネルユニットの他方側を傾斜状に浮かせることで、組立側を位置決め凸条を乗り越えて連結具と結合させる必要があり、この設計では、床パネルブロックの組立上に困難が生じ、その理由は、長辺の結合位置決め後に短辺を結合させようとすると、床パネルの長辺を傾斜状に浮かせることができいため、短辺を傾斜させ、ロック組立を行い係合させることができないので、短辺については従来の実はぎや平はぎのほぞ溝により水平組立を行うしかないためであり、したがって、完璧なロック効果を達成できない。
【０００７】
この問題を解決するために、米国発明特許出願US 6,769,217号「INTERCONNECTING DISENGAGEABLE FLOORING SYSTEM」には、当該連結具のベース板の上面に位置決め凸条が設置されない構造がさらに開示されており、そうすると、水平方向の移動によりパネルユニットの組立を完成できるが、このような構造では、組立の位置決め時に隣り合う両木製床パネルユニット間の水平方向における位置決めを提供するために、やはりベース板又は連結具の底面に係合溝を設置し、木製床パネルユニットのほぞ溝又は底面に当該係合溝とマッチする突出係合体を設置する必要がある。このような設計は組立時にもまたパネルユニットの他方側から叩くことで、連結具とパネルユニットとの結合部を変形させて組立を行う必要があり、組立作業の際に不便が生じ、さらにパネルユニットの他方側のほぞ溝構造を破壊する可能性があるので、従来のこのような構造は依然として改良する必要があることは明白である。
【発明の概要】
【０００８】
本発明が解決しようとする課題は、従来技術におけるロック機能を有するパネルユニットおよびパネル連結具が組立の際に作業に不便が生じるなどの不具合、および、従来のパルのほぞとほぞ溝の構造が資源の浪費を生じる問題を克服することにある。
【０００９】
以上の課題を解決するために、本発明は、表面としての第1平面と、第1平面に対向する第2平面と、3つ以上の側辺とを有し、そのうちの少なくとも2つの側辺にそれぞれほぞが形成されているパネルユニットから組立ててなるロック式パネルにおいて、
当該パネルユニットの側辺に、当該側辺の内側に凹むタング溝が形成されており、当該タング溝の底面がタング溝底面であり、当該タング溝の上方に、パネルユニットの側辺に向かって突出する上突起が形成されており、当該上突起の外端面が上突起端面であり、当該上突起の底面が上突起底面であり、当該パネルユニットの第2平面の側辺寄りに、上に凹むロック溝が形成されており、当該ロック溝における当該パネルユニットの側辺に向かう面がロック溝内側面であり、当該タング溝とロック溝との間に、突出したほぞが形成されており、当該ほぞは下突起を有し、当該ほぞにおけるタング溝に向かう側がほぞ頂面であり、当該ほぞにおけるパネルユニットの側辺に向かう側がほぞ外側面であり、当該ほぞのほぞ外側面は、当該上突起の上突起端面を超えておらず、当該下突起の外側においてほぞ外側面と繋がる面が外斜面であり、当該下突起の内側においてロック溝に向かう面が内斜面であり、前記ほぞ頂面とタング溝底面との境界に、少なくとも第1凸階が形成されており、当該第1凸階の頂面が係止面であり、パネルユニットの側辺に向かう側が当接面であるロック式パネルを提供する。
【００１０】
前記ほぞ頂面とタング溝底面との境界に、第1凸階と第2凸階とが形成されており、当該第1凸階の頂面が係止面であり、側面が当接面であり、第2凸階の頂面が係止面であり、側面が当接面である。
【００１１】
前記ほぞ頂面とタング溝底面との境界に、第1凸階が形成されており、当該第1凸階の頂面が係止面であり、ほぞは下突起を有し、当該ほぞ外側面と下突起の内斜面との間に、上溝が形成されており、当該上溝の外側においてほぞ外側面と繋がる面が上側斜面であり、当該上溝の内側において内斜面と繋がる面が外斜面である。
【００１２】
前記下突起の外斜面は弧面である。
【００１３】
前記下突起の外斜面は斜面である。
【００１４】
前記下突起の内斜面は弧面である。
【００１５】
前記下突起の内斜面は斜面である。
【００１６】
前記パネルユニットのほぞ底縁に、弾性溝が開設されている。
【００１７】
本発明は、長尺状をしており、端面が左右対称に設置されており、ベース板と、ベース板の上面中間に位置する直立部とを有し、当該ベース板の底面が底壁であり、両側がベー板側壁である、前記パネルユニットに用いられるパネル連結具において、
当該ベース板の上面の両側寄りに、上に突出したロックブロックが形成されており、当該直立部の頂部に、両側へ横向きに突出したロックタングが形成されており、当該ロックタングの側面がロックタング側壁であり、当該直立部の頂面が頂壁であり、当該直立部のロックタングとベース板のロックブロックとの間に、ほぞ溝が形成されており、当該ほぞ溝は、ロックタングの下面に上溝壁が形成され、直立部の側辺に内溝壁が形成され、ベース板の上面に下溝が形成されており、前記ロックブロックは、当該下溝とベース板側壁との間に形成されており、当該ロックブロックの断面がテーパ状をしており、当該下溝のロックブロック寄りの内側に斜底壁が形成されており、前記ほぞ溝の上溝壁と内溝壁との間に第1凸条が形成されており、前記第1凸条の底面が係止面であり、側面が当接面であるパネル連結具を提供する。
【００１８】
前記ほぞ溝の上溝壁と内溝壁との間に第1凸条と第2凸条とが形成されており、前記第1凸条の底面が係止面であり、側面が当接面であり、前記第2凸条の底面が係止面であり、側面が当接面である。
【００１９】
前記内溝壁と下溝の斜底壁との間に上隆起部が形成されており、当該上隆起部の外側において下溝の斜底壁と繋がる面が側斜面であり、当該上隆起部の上側において内溝壁と繋がる面が上斜面である。
【００２０】
前記上隆起部の側斜面と上斜面との間に切欠き溝が形成されている。
【００２１】
前記直立部の頂壁に溝が複数本設けられている。
【００２２】
前記パネル連結具の頂壁上に広溝が1本設けられているとともに、当該広溝の底面に溝が1本設けられている。
【００２３】
前記パネル連結具の頂壁に、ロックタングの部分を弾性変形可能にする中央凹溝が1本設けられている。
【００２４】
前記ベース板の底面の底壁には、当該パネル連結具の長手方向に沿う浅溝が複数本設けられている。
【００２５】
前記ロックブロックの最高点とベース板側壁との間における当該ロックブロックの外側には傾斜している案内面が形成されている。
【００２６】
前記パネル連結具の直立部頂部における両ロックタングのロックタング側壁の間の距離は、当該ベース板底壁における両側のベース板側壁の間の距離よりも小さい。
【００２７】
前記パネル連結具のベース板と直立部との境界の内側には、キャビティが形成されており、直立部とロックタングとの境界の内側にはキャビティが形成されている。
【００２８】
前記パネル連結具のロックタングにおけるロックタング側壁と上溝壁との境界は斜面を呈し、前記パネル連結具の第1凸条の係止面と当接面との境界は斜面を呈している。
【００２９】
前記パネル連結具のベース板の両側のベース板側壁は内に凹む壁面を呈している。
【００３０】
前記パネルユニットの第1平面と上突起端面との境界は斜面を呈している。
【００３１】
前記パネルユニットの上突起の上突起端面と上突起底面との境界は円弧面を呈している。
【００３２】
前記パネルユニットの第1凸階の係止面と当接面との境界は斜面を呈し、前記パネルユニットのほぞのほぞ頂面とほぞ外側面との境界は斜面を呈している。
【００３３】
前記パネル連結具のほぞ溝壁面に、パネル連結具の材料よりも軟質な材料の緩衝層が一層設けられている。
【００３４】
前記緩衝層は、斜底壁、側斜面、上斜面、内溝壁、係止面、当接面および上溝壁の表面に覆っている。
【００３５】
前記ロックタングのロックタング側壁の表面に緩衝層が設置されている。
【００３６】
前記パネル連結具のロックタングの頂壁の中央に、一体的に上に延出する緩衝片が設けられている。
【００３７】
本発明は、ロック式パネル連結具およびそのパネルの結合方法であって、
a.前記ほぞを備えるパネルユニットを、当該パネルユニットのほぞの外斜面が当該パネル連結具のベース板の側辺に当たるまで、同じ平面において、前記ほぞ溝を備えるパネル連結具へ移動させるステップと、
b.当該パネルユニットのほぞの外斜面が、当該パネル連結具のベース板の側辺により案内され持ち上げられるように、当該パネルユニットを移動し続けるステップと、
c.当該ほぞの下突起の最低点が当該パネル連結具のロックブロックの最高点を超え、当該ほぞの下突起がパネル連結具のほぞ溝の下溝の範囲に進入するように、当該パネルユニットを移動し続けるステップと、
d.前記ほぞのほぞ外側面がパネル連結具の第1凸条の当接面に当接し、当該パネルユニットが移動できなくなると同時に、ほぞの下突起がパネル連結具の下溝の範囲に位置し、当該ほぞの下突起の内斜面とパネル連結具の下溝の斜底壁とが接触するまで、当該パネルユニットを移動し続けるステップと、
e.当該パネルユニットの第1平面が持ち上げられた側辺から、第2平面の方向へ押圧することにより、当該ほぞをほぞ溝に押込み、ロック位置決めするステップと、を備えるロック式パネルの結合方法を提供する。
【００３８】
本発明では、組立時に、パネルユニットの他方側を浮かせる必要がないので、同じ構造のほぞは同時にパネルユニットの長辺と短辺に設置できるとともに、同じ構造の溝は同時にパネル連結具の長辺と短辺に設置できる。即ち、本発明のパネルユニットは、同じ構造のほぞ溝の形状をした刃物だけでパネルユニットの長辺と短辺に対して加工することができ、パネル連結具も、パネルユニットのほぞ溝構造にマッチするほぞ溝の形状をした押出ダイスだけで、例えばエンジニアリングプラスチック、高分子材料、木材プラスチック複合材、金属合金等の各種の押出成型材料により、パネル連結具に対してダイズによる迅速かつ精密な押出（射出）成型を行うことができ、さらに所要な長さに応じて切断し、パネル連結具の製品に加工する。刃物の適用および設備の調整のいずれから言っても、従来技術よりも進歩性を有している。また、本発明では、当該パネルユニットを変化させ、組み合わせることで様々な異なる配列の組立形式のパターンを得ることができる。さらに、本発明において、ほぞをほぞ溝に組立てる際の係合位置決めの時に、押圧することにより付勢するので、パネルユニットの組立側の他方側にツールで叩く必要がなくなる。したがって、本発明では、組立の際に、パネルユニットの他方側のほぞ溝構造の損傷を引き起こすことがなく、さらに、後の組立加工に影響を与えることもないので、目立った実質的特徴と顕著な進歩を有している。
【図面の簡単な説明】
【００３９】
【図１】本発明の第1好ましい実施例のパネル連結具の端面の断面構造の模式図である。
【図２】図1における本発明の第1好ましい実施例のパネル連結具の斜視構造の模式図である。
【図３】本発明の第1好ましい実施例のパネル連結具とパネルユニットの組立過程の断面構造の模式図である。
【図４】本発明の第1好ましい実施例のパネル連結具とパネルユニットの組立過程の断面構造の模式図である。
【図５】本発明の第1好ましい実施例のパネル連結具とパネルユニットの組立過程の断面構造の模式図である。
【図６】本発明の第1好ましい実施例のパネル連結具とパネルユニットの組立過程の断面構造の模式図である。
【図７】図6における本発明の第1好ましい実施例の部分拡大模式図である。
【図８】本発明の第1好ましい実施例のパネル連結具とパネルユニットの組立過程の断面構造の模式図である。
【図９】本発明の第2好ましい実施例のパネル連結具とパネルユニットの組立過程の断面構造の模式図である。
【図１０】本発明の第2好ましい実施例のパネル連結具とパネルユニットの組立過程の断面構造の模式図である。
【図１１】本発明の第2好ましい実施例のパネル連結具とパネルユニットの組立過程の断面構造の模式図である。
【図１２】本発明の第2好ましい実施例のパネル連結具とパネルユニットの組立過程の断面構造の模式図である。
【図１３】図12における本発明の第2好ましい実施例の部分拡大模式図である。
【図１４】本発明の第2好ましい実施例のパネル連結具とパネルユニットの組立過程の断面構造の模式図である。
【図１５】本発明の第2好ましい実施例の一変形実施例のパネルユニットおよびパネル連結具の端面の断面構造の模式図である。
【図１６】図15における本発明の第2好ましい実施例の一変形実施例の部分拡大模式図である。
【図１７】図15、図16における実施例のパネルユニットの底面構造の斜視図である。
【図１８】本発明の第3好ましい実施例のパネルユニットの端面構造の模式図である。
【図１９】本発明の第3好ましい実施例のパネル連結具の端面の断面構造の模式図である。
【図２０】本発明の第3好ましい実施例におけるパネル連結具とパネルユニットの組立過程の断面構造の模式図である。
【図２１】本発明の第3好ましい実施例におけるパネル連結具とパネルユニットの組立過程の断面構造の模式図である。
【図２２】本発明の第3好ましい実施例におけるパネル連結具とパネルユニットの組立過程の断面構造の模式図である。
【図２３】本発明の第3好ましい実施例におけるパネル連結具とパネルユニットの組立過程の断面構造の模式図である。
【図２４】図23における本発明の第3好ましい実施例の構造の部分拡大模式図である。
【図２５】本発明の第3好ましい実施例におけるパネル連結具とパネルユニットの組立過程の断面構造の模式図である。
【図２６】本発明の第3好ましい実施例の一変形実施例のパネルユニットおよびパネル連結具の端面の断面構造の模式図である。
【図２７】本発明の第3好ましい実施例の一変形実施例の斜視図である。
【図２８】本発明の第3好ましい実施例のパネル連結具とパネルユニットの組立構造の斜視模式図である。
【図２９】本発明の第3好ましい実施例のパネル連結具とパネルユニットの組立構造の斜視模式図である。
【図３０】本発明の第3好ましい実施例のパネル連結具とパネルユニットの組立構造の斜視模式図である。
【図３１】本発明の第4好ましい実施例のパネル連結具の側面の断面構造の模式図である。
【図３２】本発明の第4好ましい実施例におけるパネル連結具とパネルユニットの組立過程の断面構造の模式図である。
【図３３】本発明の第4好ましい実施例におけるパネル連結具とパネルユニットの組立過程の断面構造の模式図である。
【図３４】本発明の第4好ましい実施例におけるパネル連結具とパネルユニットの組立過程の断面構造の模式図である。
【図３５】本発明の第4好ましい実施例におけるパネル連結具とパネルユニットの組立過程の断面構造の模式図である。
【図３６】本発明の第4好ましい実施例におけるパネル連結具とパネルユニットの組立過程の断面構造の模式図である。
【図３７】図36における本発明の第4好ましい実施例の構造の部分拡大模式図である。
【図３８】本発明の第4好ましい実施例におけるパネル連結具とパネルユニットの組立過程の断面構造の模式図である。
【図３９】本発明の第4好ましい実施例のパネル連結具の一変形実施例の端面の断面構造の模式図である。
【図４０】本発明の第4好ましい実施例のパネル連結具の他の一変形実施例の端面の断面構造の模式図である。
【図４１】本発明の第4好ましい実施例のパネル連結具のさらに他の一変形実施例の端面の断面構造の模式図である。
【図４２】本発明の第5好ましい実施例のパネル連結具の側面の断面構造の模式図である。
【図４３】本発明の第5好ましい実施例のパネルユニットの端面構造の模式図である。
【図４４】本発明の第5好ましい実施例のパネル連結具とパネルユニットの組立過程の断面構造の模式図である。
【図４５】本発明の第5好ましい実施例のパネル連結具とパネルユニットの組立過程の断面構造の模式図である。
【図４６】本発明の第5好ましい実施例のパネル連結具とパネルユニットの組立過程の断面構造の模式図である。
【図４７】図46における本発明の第5好ましい実施例の部分拡大模式図である。
【図４８】本発明の第5好ましい実施例のパネル連結具とパネルユニットの組立過程の断面構造の模式図である。
【図４９】本発明の第5好ましい実施例の一変形実施例のパネル連結具の端面の断面構造の模式図である。
【図５０】図49における本発明の第5好ましい実施例の一変形実施例のパネル連結具とパネルユニットの組立過程の断面構造の模式図である。
【図５１】図49における本発明の第5好ましい実施例の一変形実施例のパネル連結具とパネルユニットの組立過程の断面構造の模式図である。
【図５２】図49における本発明の第5好ましい実施例の一変形実施例のパネル連結具とパネルユニットの組立過程の断面構造の模式図である。
【図５３】図49における本発明の第5好ましい実施例の一変形実施例のパネル連結具とパネルユニットの組立過程の断面構造の模式図である。
【図５４】図53における本発明の第5好ましい実施例の一変形実施例の部分拡大模式図である。
【図５５】図49における本発明の第5好ましい実施例の一変形実施例のパネル連結具とパネルユニットの組立過程の断面構造の模式図である。
【図５６】本発明の第6好ましい実施例のパネル連結具の側面の断面構造の模式図である。
【図５７】本発明の第6好ましい実施例のパネル連結具とパネルユニットの組立過程の断面構造の模式図である。
【図５８】本発明の第6好ましい実施例のパネル連結具とパネルユニットの組立過程の断面構造の模式図である。
【図５９】本発明の第6好ましい実施例のパネル連結具とパネルユニットの組立過程の断面構造の模式図である。
【図６０】図59における本発明の第6好ましい実施例の部分拡大模式図である。
【図６１】本発明の第6好ましい実施例のパネル連結具とパネルユニットの組立過程の断面構造の模式図である。
【図６２】本発明の第6好ましい実施例のパネル連結具の斜視模式図である。
【図６３】図62における本発明の第6好ましい実施例のパネル連結具の使用状態の断面模式図である。
【図６４】本発明の第7好ましい実施例のパネル連結具の側面の断面構造の模式図である。
【図６５】本発明の第7好ましい実施例の一変形実施例のパネル連結具の側面の断面構造の模式図である。
【図６６】本発明の第8好ましい実施例のパネル連結具の側面の断面構造の模式図である。
【図６７】本発明の第9好ましい実施例のパネル連結具の側面の断面構造の模式図である。
【図６８】本発明の第9好ましい実施例の一変形実施例のパネル連結具の側面の断面構造の模式図である。
【図６９】本発明の第9好ましい実施例の他の一変形実施例のパネル連結具の側面の断面構造の模式図である。
【図７０】本発明の第10好ましい実施例のパネルユニットの底面斜視模式図である。
【図７１】図70における第10好ましい実施例のパネルユニットとパネル連結具とを組合せる配列の分解模式図である。
【図７２】図70における第10好ましい実施例の組合せが完成時の配列形状の模式図である。
【図７３】本発明のパネルユニットを組立てる時の一実施例の模式図である。
【図７４】図73における本発明のパネルユニットを組立てる実施例の組立構造の部分拡大模式図である。
【図７５】本発明の長尺のパネルユニットを縦に揃え、横に交互に配列するように組立て、配列する実施例の模式図である。
【図７６】本発明の4枚の長尺状パネルユニットで矩形ユニットに組立て、配列した後、隣り合うユニットを縦横に交互に整列する実施例の模式図である。
【図７７】本発明の長尺状パネルユニットを人字形の配列になるように組立て、整列する実施例の模式図である。
【発明を実施するための形態】
【００４０】
本発明は、床パネル又は壁パネル等の接合組立可能なパネル、および当該パネルを接合し、組立てるためのパネル連結具であり、特に、パネルユニットの側辺にほぞが設置され、パネル連結具の側辺に当該ほぞとマッチするほぞ溝が設置され、パネル連結具によりパネルユニットを相互にロック接合するパネル連結具およびそのパネルである。
【００４１】
以下に、図面および好ましい実施例を参照しながら本発明をより詳細的に説明する。
【第１好ましい実施例】
【００４２】
図1および図2を参照し、図1は本発明の第1好ましい実施例のパネル連結具20の端面の断面構造の模式図であり、図2は当該パネル連結具20の斜視構造の模式図である。本発明が採用するパネル連結具20は長尺状をしており、端面から見るとほぼ逆T字形を呈している。当該略逆T字形を呈しているパネル連結具20は左右対称に設置され、当該逆T字形を構成するベース板21と、ベース板21の上面中間に位置する直立部22とを有し、当該ベース板21の底面が底壁210であり、両側がベース板側壁211である。当該ベース板21の上面の両側寄りに、上に突出したロックブロック23が形成され、当該直立部22の頂部に、両側へ横向きに突出したロックタング24が形成され、当該ロックタング24の側面がロックタング側壁240であり、当該直立部22の頂面が頂壁220である。この第1好ましい実施例において、頂壁220に深い溝221が2本設けられているとともに、当該2本の溝221の中央に浅い溝222が1本設けられている。当該直立部22のロックタング24とベース板21のロックブロック23との間に、ほぞ溝40が形成されており、当該ほぞ溝40は、ロックタング24の下面に上溝壁41が形成され、直立部22の側辺に内溝壁42が形成され、ベース板21の上面に下溝400が形成されている。前記ロックブロック23は、当該下溝400とベース板側壁211との間に形成され、当該ロックブロック23の断面がテーパ状をしている。当該下溝400のロックブロック23寄りの内側に斜底壁410が形成されている。
【００４３】
当該ベース板21の底面の底壁210に、当該パネル連結具20の長手方向に沿う浅溝212が3本形成されている。
【００４４】
図3に示す本発明のロック式パネルユニット10の第1好ましい実施例の断面構造の模式図から見ると、当該パネルユニット10は、表面としての第1平面と、第1平面に対向する第2平面とを有し、そのうちの少なくとも2つの側辺にほぞ30が形成されている。本発明のパネルユニット10の構造およびそれとパネル連結具20の組立過程の説明の都合で、両パネルユニット10の一方の側辺のみが図示される。当該パネルユニット10の側辺に、当該側辺の内側に凹むタング溝33が形成され、当該タング溝33の底面がタング溝底面330である。当該タング溝33の上方に、パネルユニット10の側辺へ突出した上突起70が形成され、当該上突起70の外端面が上突起端面701であり、当該上突起70の底面が上突起底面702である。当該パネルユニット10の第2平面の側辺寄りに、上に凹むロック溝72が形成され、当該ロック溝72における当該パネルユニット10の側辺に向かう面がロック溝内側面721である。当該タング溝33とロック溝72との間に、突出したほぞ30が形成され、当該ほぞ30の上方においてタング溝33に向かう側がほぞ頂面31であり、当該ほぞ30におけるパネルユニット10の側辺に向かう側がほぞ外側面32である。当該ほぞ30のほぞ外側面32は当該上突起70の上突起端面701を超えていないので、ほぞ30の設置によりパネルユニット10の表面積に影響を与えることなく、材料の浪費が生じることはない。当該ほぞ頂面31とタング溝底面330との境界に、第1凸階34が形成され、当該第1凸階34の頂面が係止面341であり、当該第1凸階34におけるパネルユニット10の側辺に向かう側が当接面342である。当該ほぞ30は、パネル連結具20との結合時にパネル連結具20のほぞ溝40に嵌設可能である。当該ほぞ30は、結合位置決め時にパネル連結具20の下溝400中に収容される下突起300を有し、図4を参照し、当該下突起300の外側においてほぞ外側面32と繋がる面が外斜面301であり、当該下突起300の内側においてロック溝72に向かう面が内斜面302である。
【００４５】
当該下突起300の外斜面301および内斜面302は、この第1好ましい実施例において弧面である。
【００４６】
さらに、図1から分かるように、当該パネル連結具20の直立部22の頂部における両ロックタング24のロックタング側壁240の間の距離は、当該ベース板21の底壁における両側のベース板側壁211の間の距離よりも小さい。
【００４７】
当該ロックブロック23の最高点とベース板21の側壁211との間における当該ロックブロック23の外側には、傾斜している案内面420が形成されている。
【００４８】
図3、4、5、6、8は本発明の第1好ましい実施例の組立過程の断面模式図であり、図3には、左側のパネルユニット10は、既に位置決めされるように当該パネル連結具20と結合され、右側のほぞ30を備えるパネルユニット10は、同じ平面においてほぞ溝40を備えるパネル連結具20に向かって移動し、当接していることが示される。
【００４９】
パネルユニット10とパネル連結具20が同じ平面において接触すると、パネルユニット10のほぞ30の外斜面301はパネル連結具20のほぞ溝40のロックブロック23の案内面420に当たる。
【００５０】
●技術要点：パネルユニット10とパネル連結具20とが同じ平面において接近し接触すると、その接触位置の少なくとも一方側は斜面又は弧面である。これにより、パネルユニット10とパネル連結具20とが接近し続けると、その接触位置の斜面によって、パネルユニット10を案内してパネル連結具20のエッジでその高さを変化させることができる。図3に示す第1好ましい実施例において、右側のほぞ30を備えるパネルユニット10のエッジが斜面により案内され、持ち上げられる。
【００５１】
ほぞ30を備えるパネルユニット10を、ほぞ溝40を備えるパネル連結具20へ押さえ続けると、当該ほぞ30の傾斜している外斜面301とほぞ溝40のロックブロック23の案内面420が接触することにより、当該パネルユニット10が案内され、持ち上げられる。
【００５２】
当該ほぞ30を備えるパネルユニット10の下突起300の最低点が、ほぞ溝40を備えるパネル連結具20のロックブロック23の最高点まで移動すると（図4に示すとおり）、当該パネルユニット10はこれ以上に持ち上げられない。
【００５３】
●技術要点：パネルユニット10のほぞ30の下突起300の最低点とそのほぞ30のほぞ外側面32の最高点との垂直延伸線の間の水平距離L1は、パネル連結具20のロックブロック23の最高点とロックタング側壁240の最低点との垂直延伸線の間の水平距離L2よりも小さく、図4に示すように、L1＜L2である。
【００５４】
ほぞ30を備えるパネルユニット10を、ほぞ溝40を備えるパネル連結具20へ押さえ続けると、そのほぞ30の下突起300はパネル連結具20のほぞ溝40の下溝400に落ち始める。これにより、ほぞ30の下突起300の内斜面302とパネル連結具20のほぞ溝40の下溝400の斜底壁410とが接触すると同時に、当該ほぞ30の第1凸階34の当接面342がパネル連結具20のロックタング側壁240に当接する（図5に示すとおり）。このとき、ほぞ30を備えるパネルユニット10を、同じ平面においてこれ以上ほぞ溝40を備えるパネル連結具20へ押さえることができなくなる。即ち、上記L1＜L2の技術要点に基づき、本発明のほぞ30を備えるパネルユニット10を、ほぞ溝40を備えるパネル連結具20へ押さえる組立過程において、当該第1凸階34の当接面342がパネル連結具20のロックタング側壁240に当接するときに、そのほぞ30の下突起300は既にパネル連結具20のほぞ溝40の下溝400の上方範囲に落ちた。このように、本発明では、押圧することでパネルユニット10とパネル連結具20との間のロック係合を完成することができる。
【００５５】
図5に示す状態は、本発明のパネルユニット10をパネル連結具20へ移動させるステップの説明を便利にするためのものであり、実際に、右側のパネルユニット10が重力により下へ移動するので、その下突起300の内斜面302とパネル連結具20のほぞ溝40の下溝400の斜底壁410とが接触する。パネルユニット10とパネル連結具20が互いに接近している過程において、パネルユニット10のほぞ30の第1凸階34の当接面342とパネル連結具20のロックタング側壁240が当接する前に、パネルユニット10とパネル連結具20との間には斜面の接触しかないので、パネルユニット10の移動過程において相当便利であり、ツールによる叩き又は大きな外力の印加により、パネルユニット10の構造を変形させる必要はない。
【００５６】
●技術要点：パネルユニット10のほぞ30の下突起300の最低点とそのほぞ30の第1凸階34の当接面342との垂直延伸線の間の水平距離L3は、パネル連結具20のほぞ溝40の斜底壁410の最低点とロックタング側壁240の最低点との垂直延伸線の間の水平距離L4よりも大きく、図5に示すように、L3＞L4である。
【００５７】
本発明のほぞ30を備えるパネルユニット10を、ほぞ溝40を備えるパネル連結具20へ押さえる際に、当該第1凸階34の当接面342がパネル連結具20のロックタング側壁240に当接すると、そのほぞ30の下突起300は既にパネル連結具20のほぞ溝40の下溝400の上方範囲に落ちた（図5に示すとおり）。上記L3＞L4の技術要点基づき、当該ほぞ30の下突起300の最低点はまだほぞ溝40の斜底壁410の最低点に当たっていない。このように、本発明では、押圧することでパネルユニット10とパネル連結具20との間のロック係合を完成することができる。
【００５８】
●技術要点：パネルユニット10のタング溝底面330と第1凸階34の当接面342の最外側との垂直延伸線の間の水平距離L5は、パネル連結具20のロックタング側壁240の最外側とほぞ溝40の内溝壁42の最高点との垂直延伸線の間の水平距離L6よりも小さく、図6に示すように、L5＜L6である。
【００５９】
そして、パネルユニット10とパネル連結具20との接触部から、持ち上げられたパネルユニット10を下へ押圧する（図6および図7に示す矢印のところ）。このとき、当該第1凸階34の当接面342がパネル連結具20のロックタング側壁240に当接しているので、パネルユニット10とパネル連結具20との間は、同じ平面においてこれ以上接近できなくなる。ほぞ30の下突起300の内斜面302がほぞ溝40の斜底壁410に対して付勢することにより、ほぞ溝40の下方材料に弾性変形が生じ、ほぞ30が下に変位し、ほぞ溝40に収容される。
【００６０】
図6に示すように、ほぞ30を備えるパネルユニット10が下へ押圧されると、ほぞ溝40の下方材料に弾性変形が生じ、図7の部分拡大模式図に示す破線と実線の変化部分は、ほぞ溝40の下方材料に弾性変形が生じる部分である。ほぞ溝40の下方材料に弾性変形が生じ、当該第1凸階34の当接面342とパネル連結具20のロックタング側壁240がずれるようになるまで、ほぞ30をほぞ溝40に対して下に変位させると、ほぞ30は、下突起300の内斜面302とほぞ溝40の斜底壁410の案内により、下突起300を当該ほぞ溝40の下溝400に嵌入させ、即ち、ロックブロック23をロック溝72に係合させる。同時に、当該ほぞ溝40の下方材料が自身の弾性で元の位置に戻ることにより、当該ほぞ30のほぞ頂面31がほぞ溝40の上溝壁41の下方に当接し、パネルユニット10とパネル連結具20との間において、ほぞ30とほぞ溝40はロック位置決めされるように係合される。これにより、パネルユニット10が変位してパネル連結具20から外れることができないようにすることができる（図8に示すとおり）。
【００６１】
当該係合位置決めにより、本発明のロックブロック23がロック溝72に係合され、そのほぞ30の下突起300の内斜面302とほぞ溝40の斜底壁410とが当接する。本発明のパネルユニット10のほぞ30は、ほぞ溝40の下方材料に弾性変形が生じた状態において、ほぞ30をほぞ溝40に嵌入させ、かつほぞ30がほぞ溝40に嵌入され、ロック位置決めされた後に、当該ほぞ溝40の下方材料が自身の弾性で元の位置に戻るので、本発明の第1凸階34の当接面342の最外端から内斜面302と斜底壁410の当接点のいずれかまでの距離は、ほぞ溝40の上溝壁41とロックタング側壁240の交点から斜底壁410における対応する当接点までの距離よりも大きく、本発明の第1好ましい実施例のほぞ30は、ほぞ溝40の下方材料に変形が生じない限り、ほぞ溝40から外れることができない。したがって、本発明のほぞ30とほぞ溝40との間には、最適なロック接続効果を有することができる。
【００６２】
図3、4、5、6、8における本発明の第1好ましい実施例の組立過程の断面模式図、および以上の説明から分かるように、本発明のパネルユニット10とパネル連結具20は組立の際に、押圧力によりパネルユニット10のほぞ30とパネル連結具20のほぞ溝40をロック位置決めされるように係合させる。本発明では、組立時に、同じ水平面における付勢の増大によりパネルユニット10とパネル連結具20とを結合させる必要がないので、組立時にパネルユニット10の他方の側辺に叩くことで付勢することがなく、もちろん、パネルユニット10の他方の側辺のほぞ溝構造に損傷を与えることはない。
【００６３】
以上の第1好ましい実施例の図面および説明から分かるよに、本発明が採用する技術手段は、下への押圧力により、ほぞ溝40の下方材料に弾性変形を生じさせ、ほぞ30の内斜面302とほぞ溝40の斜底壁410とで協力して案内することにより係合位置決めされるようになることである。実際の組立時に、作業員が手で押圧し、又は足で踏むことで付勢することができ、作業員は、図6、7に示す矢印の位置に付勢するだけで、パネルユニット10のほぞ30とパネル連結具20のほぞ溝40とをロック位置決めされるように係合させることが簡単にできる。
【第２好ましい実施例】
【００６４】
図9に示すように、本発明が採用するパネル連結具20Aは長尺状をしており、ベース板21Aと、ベース板21Aの上面中間に位置する直立部22Aとを有し、当該ベース板21Aの底面が底壁210Aであり、両側がベース板側壁211Aである。当該ベース板21Aの上面の両側寄りに、上に突出したロックブロック23Aが形成され、当該直立部22Aの頂部に、両側へ横向きに突出したロックタング24Aが形成され、当該ロックタング24Aの側面がロックタング側壁240Aであり、当該直立部22Aの頂面が頂壁220Aである。この第2好ましい実施例において、頂壁220Aに溝221Aが2本設けられており、当該直立部22Aのロックタング24Aとベース板21Aのロックブロック23Aとの間に、ほぞ溝40Aが形成されており、当該ほぞ溝40Aは、ロックタング24Aの下面に上溝壁41Aが形成され、直立部22Aの側辺に内溝壁42Aが形成され、ベース板21Aの上面に下溝400Aが形成されている。前記ロックブロック23Aは、当該下溝400Aとベース板側壁211Aとの間に形成され、当該ロックブロック23Aの断面がテーパ状をしている。当該下溝400Aのロックブロック23A寄りの内側に斜底壁410Aが形成され、当該ほぞ溝40Aの上溝壁41Aと内溝壁42Aとの間に第1凸条43Aが形成され、前記第1凸条43Aの底面が係止面431Aであり、側面が当接面432Aである。
【００６５】
図10に示す本発明のロック式パネルユニット10Aの第2好ましい実施例の断面構造の模式図を併せて参照すると、当該パネルユニット10Aは、表面としての第1平面と、第1平面に対向する第2平面とを有し、そのうちの少なくとも2つの側辺にほぞ30Aが形成されている。当該パネルユニット10Aの側辺に、当該側辺の内側に凹むタング溝33Aが形成され、当該タング溝33Aの底面がタング溝底面330Aである。当該タング溝33Aの上方に、パネルユニット10Aの側辺へ突出した上突起70Aが形成され、当該上突起70Aの外端面が上突起端面701Aであり、当該上突起70Aの底面が上突起底面702Aである。当該パネルユニット10Aの第2平面の側辺寄りに、上に凹むロック溝72Aが形成され、当該ロック溝72Aにおける当該パネルユニット10Aの側辺に向かう面がロック溝内側面721Aである。当該タング溝33Aとロック溝72Aとの間に、突出したほぞ30Aが形成され、当該ほぞ30Aの上方においてタング溝33Aに向かう側がほぞ頂面31Aであり、当該ほぞ30におけるパネルユニット10Aの側辺に向かう側がほぞ外側面32Aであり、当該ほぞ30Aのほぞ外側面32Aは当該上突起70Aの上突起端面701Aを超えていない。当該ほぞ30Aは、パネル連結具20Aとの結合時にパネル連結具20Aのほぞ溝40Aに嵌設可能である。当該ほぞ30Aは、結合位置決め時にパネル連結具20Aの下溝400Aに収容される下突起300Aを有し、当該下突起300Aの外側においてほぞ外側面32Aと繋がる面が外斜面301Aであり、当該下突起300Aの内側においてロック溝72Aに向かう面が内斜面302Aである。
【００６６】
当該下突起300Aの外斜面301Aおよび内斜面302Aは、この第2好ましい実施例において弧面である。
【００６７】
さらに、図9から分かるように、当該パネル連結具20Aの直立部22Aの頂部における両ロックタング24Aのロックタング側壁240Aの間の距離は、当該ベース板21Aの底壁における両側のベース板側壁211Aの間の距離よりも小さい。
【００６８】
当該ロックブロック23Aの最高点とベース板側壁211Aとの間における当該ロックブロック23Aの外側には、傾斜している案内面420Aが形成されている。
【００６９】
図9、10、11、12、14は本発明の第2好ましい実施例の組立過程の断面模式図であり、図9には、左側のパネルユニット10Aは、既に位置決めされるように当該パネル連結具20Aと結合され、右側のほぞ30Aを備えるパネルユニット10Aは、同じ平面においてほぞ溝40Aを備えるパネル連結具20Aに向かって移動し、当接していることが示される。
【００７０】
パネルユニット10Aとパネル連結具20Aが同じ平面において接触すると、パネルユニット10Aのほぞ30Aの外斜面301Aはパネル連結具20Aのほぞ溝40Aのロックブロック23Aの案内面420Aに当たる。
【００７１】
●技術要点：パネルユニット10Aとパネル連結具20Aとが同じ平面において接近し接触すると、その接触位置の少なくとも一方側は斜面又は弧面である。これにより、パネルユニット10Aとパネル連結具20Aとが接近し続けると、その接触位置の斜面によって、パネルユニット10Aを案内し、パネル連結具20Aのエッジでその高さを変化させることができる。図9に示す第2好ましい実施例において、ほぞ30Aを備えるパネルユニット10Aのエッジが斜面により案内され、持ち上げられる。
【００７２】
ほぞ30Aを備えるパネルユニット10Aを、ほぞ溝40Aを備えるパネル連結具20Aへ押さえ続けると、当該ほぞ30Aの傾斜している外斜面301Aとほぞ溝40Aのロックブロック23Aの案内面420Aとが接触することにより、当該パネルユニット10Aが案内され、持ち上げられる（図9〜図10に示すとおり）。
【００７３】
当該ほぞ30Aを備えるパネルユニット10Aの下突起300Aの最低点が、ほぞ溝40Aを備えるパネル連結具20Aのロックブロック23Aの最高点まで移動すると（図10に示すとおり）、当該パネルユニット10Aはこれ以上に持ち上げられない。
【００７４】
●技術要点：パネルユニット10Aのほぞ30Aの下突起300Aの最低点とそのほぞ30Aのほぞ外側面32Aの最高点との垂直延伸線の間の水平距離L1Aは、パネル連結具20Aのロックブロック23Aの最高点と当該第1凸条43Aの当接面432Aの最低点との垂直延伸線の間の水平距離L2Aよりも小さく、図10に示すように、L1A＜L2Aである。
【００７５】
ほぞ30Aを備えるパネルユニット10Aを、ほぞ溝40Aを備えるパネル連結具20Aへ押さえ続けると、ほぞ30Aの下突起300Aはパネル連結具20Aのほぞ溝40Aの下溝400Aに落ち始める。これにより、ほぞ30Aの下突起300Aの内斜面302Aとパネル連結具20Aのほぞ溝40Aの下溝400Aの斜底壁410Aとが接触すると同時に、当該ほぞ30Aのほぞ外側面32Aがパネル連結具20Aの第1凸条43Aの当接面432Aに当接する（図11に示すとおり）。このとき、ほぞ30Aを備えるパネルユニット10Aを、同じ平面においてこれ以上ほぞ溝40Aを備えるパネル連結具20Aに押さえることができなくなる。即ち、上記L1A＜L2Aの技術要点に基づき、本発明のほぞ30Aを備えるパネルユニット10Aを、ほぞ溝40Aを備えるパネル連結具20Aへ押さえる組立過程において、当該ほぞ30Aのほぞ外側面32Aがパネル連結具20Aの第1凸条43Aの当接面432Aに当接するときに、そのほぞ30Aの下突起300Aは既にパネル連結具20Aのほぞ溝40Aの下溝400Aの上方範囲に落ちた。このように、本発明では、押圧することでパネルユニット10Aとパネル連結具20Aとの間のロック係合を完成することができる。
【００７６】
図11に示す状態は、本発明のパネルユニット10Aをパネル連結具20Aへ移動させるステップの説明を便利にするためのものであり、実際に、右側のパネルユニット10Aが重力により下へ移動するので、その下突起300Aの内斜面302Aとパネル連結具20Aのほぞ溝40Aの下溝400Aの斜底壁410Aとが接触する。パネルユニット10Aとパネル連結具20Aが互いに接近している過程において、パネルユニット10Aのほぞ30Aのほぞ外側面32Aとパネル連結具20Aの第1凸条43Aの当接面432Aが当接する前に、パネルユニット10Aとパネル連結具20Aとの間には斜面の接触しかないので、パネルユニット10Aの移動過程において相当便利であり、ツールによる叩き又は大きな外力の印加により、パネルユニット10Aの構造を変形させる必要はない。
【００７７】
●技術要点：パネルユニット10Aのほぞ30Aの下突起300Aの最低点とそのほぞ30Aのほぞ外側面32Aの最高点との垂直延伸線の間の水平距離L1Aは、パネル連結具20Aのほぞ溝40Aの斜底壁410Aの最低点と第1凸条43Aの当接面432Aの最低点との垂直延伸線の間の水平距離L4Aよりも大きく、図11に示すように、L1A＞L4Aである。
【００７８】
本発明のほぞ30Aを備えるパネルユニット10Aを、ほぞ溝40Aを備えるパネル連結具20Aへ押さえる際に、当該ほぞ30Aのほぞ外側面32Aがパネル連結具20Aの第1凸条43Aの当接面432Aの辺に当接すると、そのほぞ30Aの下突起300Aは既にパネル連結具20Aのほぞ溝40Aの下溝400Aの上方範囲に落ちた（図11に示すとおり）。上記L1A＞L4Aの技術要点に基づき、当該ほぞ30Aの下突起300Aの最低点はまだほぞ溝40Aの斜底壁410Aの最低点に当たっていない。このように、本発明では、押圧することでパネルユニット10Aとパネル連結具20Aとの間のロック係合を完成することができる。
【００７９】
●技術要点：パネルユニット10Aのタング溝底面330Aとほぞ外側面32Aの最高点との垂直延伸線の間の水平距離L7Aは、パネル連結具20Aのロックタング側壁240Aの最外側と第1凸条43Aの当接面432Aの最低点との垂直延伸線の間の水平距離L8Aよりも大きく、図12に示すように、L7A＞L8Aである。
【００８０】
そして、パネルユニット10Aとパネル連結具20Aとの接触部から、持ち上げられたパネルユニット10Aを下へ押圧する（図11および図12に示す矢印のところ）。このとき、当該ほぞ30Aのほぞ外側面32Aがほぞ溝40Aの第1凸条43Aの当接面432Aに当接しているので、パネルユニット10Aとパネル連結具20Aとの間は、同じ平面においてこれ以上接近できなくなる。ほぞ30Aの下突起300Aの内斜面302Aがほぞ溝40Aの斜底壁410Aに対して付勢することにより、ほぞ溝40Aの下方材料に弾性変形が生じ、ほぞ30Aが下へ変位し、ほぞ溝40Aに収容される。
【００８１】
図12に示すように、ほぞ30Aを備えるパネルユニット10Aが下へ押圧されると、ほぞ溝40Aの下方材料に弾性変形が生じ、図13の部分拡大模式図に示す破線と実線の変化部分は、ほぞ溝40Aの下方材料に弾性変形が生じる部分である。ほぞ溝40Aの下方材料に弾性変形が生じ、当該パネルユニット10Aのほぞ外側面32Aと当該パネル連結具20Aの第1凸条43Aの当接面432Aがずれるようになるまで、ほぞ30Aをほぞ溝40Aに対して下に変位させると、ほぞ30Aは、下突起300Aの内斜面302Aとほぞ溝40Aの斜底壁410Aの案内により、下突起300Aを当該ほぞ溝40Aの下溝400Aに嵌入させ、即ち、ロックブロック23Aをロック溝72Aに係合させる。同時に、当該ほぞ溝40Aの下方材料が自身の弾性で元の位置に戻ることにより、当該ほぞ30Aのほぞ頂面31Aが第1凸条43Aの係止面431Aの下方に当接し、パネルユニット10Aとパネル連結具20Aとの間において、ほぞ30Aとほぞ溝40Aはロック位置決めされるように係合される。これにより、パネルユニット10Aが変位してパネル連結具20Aから外れることができないようにすることができる（図14に示すとおり）。
【００８２】
当該係合ロック位置決めでにより、本発明のほぞ30Aのほぞ頂面31Aと第1凸条43Aの係止面431Aとが当接し、ロックブロック23Aがロック溝72Aに係合され、そのほぞ30Aの下突起300Aの内斜面302Aとほぞ溝40Aの斜底壁410Aとが当接する。本発明のパネルユニット10Aのほぞ30Aは、ほぞ溝40Aの下方材料に弾性変形が生じた状態において、ほぞ30Aをほぞ溝40Aに嵌入させ、かつほぞ30Aがほぞ溝40Aに嵌入され、ロック位置決めされた後に、当該ほぞ溝40Aの下方材料が自身の弾性で元の位置に戻るので、本発明のほぞ30Aのほぞ頂面31Aの最外端から内斜面302Aと斜底壁410Aの当接点のいずれかまでの距離は、ほぞ溝40Aの第1凸条43Aの係止面431Aと当接面432Aの交点から斜底壁410Aにおける対応する当接点までの距離よりも大きく、本発明の第2好ましい実施例のほぞ30Aは、ほぞ溝40Aの下方材料に変形が生じない限り、ほぞ溝40Aから外れることができない。したがって、本発明のほぞ30Aとほぞ溝40Aとの間には、最適なロック接続効果を有することができる。
【００８３】
本発明のパネルユニット10Aとパネル連結具20Aは組立の際に、押圧力によりパネルユニット10Aのほぞ30Aとパネル連結具20Aのほぞ溝40Aをロック位置決めされるように係合させる。本発明では、組立時に、同じ水平面における付勢の増大によりパネルユニット10Aとパネル連結具20Aとを結合させる必要がないので、組立時にパネルユニット10Aの他方の側辺に叩くことで付勢することなく、もちろん、パネルユニット10Aの他方の側辺のほぞ溝構造に損傷を与えることはない。
【００８４】
以上の第2好ましい実施例の図面および説明から分かるように、本発明が採用する技術手段は、下への押圧力によって、ほぞ溝40Aの下方的材料に弾性変形を生じさせ、ほぞ30Aの内斜面302Aとほぞ溝40Aの斜底壁410Aとで協力して案内することにより係合位置決めされるようになることである。実際の組立時に、作業員が手で押圧し、又は足で踏むことで付勢することができ、作業員は、図11、12に示す矢印の位置に付勢するだけで、パネルユニット10Aのほぞ30Aとパネル連結具20Aのほぞ溝40Aとをロック位置決めされるように係合させることが簡単にできる。
【００８５】
図15は本発明の第2好ましい実施例の一変形実施例のパネルユニット10A'およびパネル連結具20Aの端面の断面構造の模式図であり、図中に示すパネルユニット10A'のほぞ30A'の底縁に、弾性溝305A'が開設されている。図16の拡大図を併せて参照すると、本発明のパネルユニット10A'のほぞ30A'をパネル連結具20Aのほぞ溝40Aの上方に移動させ、押圧することによってパネルユニット10A'とパネル連結具20Aとの間のロック係合を完成させようとするときに、当該弾性溝305A'は、パネルユニット10A'のほぞ30A'が変形するための空間を提供することができる。これにより、パネルユニット10A'のほぞ30A'が押圧されほぞ溝40Aに進入する時に、パネル連結具20Aのほぞ溝40Aの下方材料に微細な変形が生じるだけでなく、弾性溝305A'によりほぞ30A'を同時に圧縮変形させることができるので、本発明のパネルユニット10A'のほぞ30A'とパネル連結具20Aのほぞ溝40Aとの間の組立結合が一層便利で楽になる。
【００８６】
図17には、図15、図16におけるパネルユニット10A'の底面構造の斜視図が示され、図中に当該ほぞ30A'の一部の斜視構造が示される。
【第３好ましい実施例】
【００８７】
図18、図19はロック式パネルユニット10Bおよびパネル連結具20Bの構造の模式図であり、同図のように、当該パネルユニット10Bは第1好ましい実施例におけるパネルユニット10の構造と近似しており、パネル連結具20Bは第2好ましい実施例におけるパネル連結具20Aの構造と近似している。
【００８８】
図18に示すように、前記パネルユニット10Bは、表面としての第1平面と、第1平面に対向する第2平面とを有し、そのうちの少なくとも2つの側辺に、対称するほぞ30Bが形成されている。当該パネルユニット10Bの側辺に、当該側辺の内側に凹むタング溝33Bが形成され、当該タング溝33Bの底面がタング溝底面330Bである。当該タング溝33Bの上方に、パネルユニット10Bの側辺へ突出した上突起70Bが形成され、当該上突起70Bの外端面が上突起端面701Bであり、当該上突起70Bの底面が上突起底面702Bである。当該パネルユニット10Bの第2平面の側辺寄りに、上に凹むロック溝72Bが形成され、当該ロック溝72Bにおける当該パネルユニット10Bの側辺に向かう面がロック溝内側面721Bである。当該タング溝33Bとロック溝72Bとの間に、突出したほぞ30Bが形成され、当該ほぞ30Bの上方においてタング溝33Bに向かう側がほぞ頂面31Bであり、当該ほぞ30Bにおけるパネルユニット10Bの側辺に向かう側がほぞ外側面32Bであり、当該ほぞ30Bのほぞ外側面32Bは当該上突起70Bの上突起端面701Bを超えていない。当該ほぞ頂面31Bとタング溝底面330Bとの境界に、第1凸階34Bが形成され、当該第1凸階34Bの頂面が係止面341Bであり、パネルユニット10Bの側辺に向かう側が当接面342Bである。当該ほぞ30Bは下突起300Bを有し、当該下突起300Bの外側においてほぞ外側面32Bと繋がる面が外斜面301Bであり、当該下突起300Bの内側においてロック溝72Bに向かう面が内斜面302Bである。
【００８９】
パネルユニット10Bの下突起300Bの外斜面301Bおよび内斜面302Bは、この第3好ましい実施例において弧面である。
【００９０】
図19に示すように、パネル連結具20Bは、ベース板21Bと、ベース板21Bの上面中間に位置する直立部22Bとを有し、当該ベース板21Bの底面が底壁210Bであり、両側がベース板側壁211Bである。当該ベース板21Bの上面の両側寄りに、上に突出したロックブロック23Bが形成され、当該直立部22Bの頂部に、両側へ横向きに突出したロックタング24Bが形成され、当該ロックタング24Bの側面がロックタング側壁240Bであり、当該直立部22Bの頂面が頂壁220Bである。この第3好ましい実施例において、頂壁220Bに深い溝221Bが2本設けられるとともに、当該2本の溝221Bの中央に浅い溝222Bが1本設けられている。当該直立部22Bのロックタング24Bとベース板21Bのロックブロック23Bとの間に、ほぞ溝40Bが形成されており、当該ほぞ溝40Bは、ロックタング24Bの下面に上溝壁41Bが形成され、直立部22Bの側辺に内溝壁42Bが形成され、ベース板21Bの上面に下溝400Bが形成されている。前記ロックブロック23Bは、当該下溝400Bとベース板側壁211Bとの間に形成され、当該ロックブロック23Bの断面がテーパ状をしている。当該下溝400Bのロックブロック23B寄りの内側に斜底壁410Bが形成されている。当該ほぞ溝40Bの上溝壁41Bと内溝壁42Bとの間に第1凸条43Bが形成され、前記第1凸条43Bの底面が係止面431Bであり、側面が当接面432Bである。
【００９１】
さらに、図19から分かるように、当該パネル連結具20Bの直立部22Bの頂部における両ロックタング24Bのロックタング側壁240Bの間の距離は、当該ベース板21Bの底壁における両側のベース板側壁211Bの間の距離よりも小さい。
【００９２】
当該ロックブロック23Bの最高点と側辺22Bとの間における当該ロックブロック23Bの外側には、傾斜している案内面420Bが形成されている。
【００９３】
当該ベース板21Bの底面の底壁210Bに、当該パネル連結具20Bの長手方向に沿う浅溝212Bが2本形成されている。
【００９４】
図20、21、22、23、25は本発明の第3好ましい実施例の組立過程の断面模式図であり、図20には、左側のパネルユニット10Bは、既に位置決めされるように当該パネル連結具20Bと結合され、右側のほぞ30Bを備えるパネルユニット10Bは、同じ平面においてほぞ溝40Bを備えるパネル連結具20Bに向かって移動し、当接していることが示される。
【００９５】
パネルユニット10Bとパネル連結具20Bが同じ平面において接触すると、パネルユニット10Bのほぞ30Bの外斜面301Bはパネル連結具20Bのほぞ溝40Bのロックブロック23Bの案内面420Bに当たる。
【００９６】
●技術要点：パネルユニット10Bとパネル連結具20Bとが同じ平面において接近し接触すると、その接触位置の少なくとも一方側は斜面又は弧面である。これにより、パネルユニット10Bとパネル連結具20Bとが接近し続けると、その接触位置の斜面によって、パネルユニット10Bを案内してパネル連結具20Bのエッジでその高さを変化させることができる。図20に示す第3好ましい実施例において、ほぞ30Bを備えるパネルユニット10Bのエッジが斜面により案内され、持ち上げられる。
【００９７】
ほぞ30Bを備えるパネルユニット10Bを、ほぞ溝40Bを備えるパネル連結具20Bへ押さえ続けると、当該ほぞ30Bの傾斜している外斜面301Bとほぞ溝40Bのロックブロック23Bの案内面420Bとが接触することにより、当該パネルユニット10Bが案内され、持ち上げられる。
【００９８】
当該ほぞ30Bを備えるパネルユニット10Bの下突起300Bの最低点が、ほぞ溝40Bを備えるパネル連結具20Bのロックブロック23Bの最高点まで移動すると（図21に示すとおり）、当該パネルユニット10Bはこれ以上に持ち上げられない。
【００９９】
●技術要点：パネルユニット10Bのほぞ30Bの下突起300Bの最低点とそのほぞ30Bのほぞ外側面32Bの最高点との垂直延伸線の間の水平距離L1Bは、パネル連結具20Bのロックブロック23Bの最高点と当該第1凸条43Bの当接面432Bの最低点との垂直延伸線の間の水平距離L2Bよりも小さく、図22に示すように、L1B＜L2Bである。
【０１００】
ほぞ30Bを備えるパネルユニット10Bを、ほぞ溝40Bを備えるパネル連結具20Bへ押さえ続けると、そのほぞ30Bの下突起300Bはパネル連結具20Bのほぞ溝40Bの下溝400Bに落ち始める。これにより、ほぞ30Bの下突起300Bの内斜面302Bとパネル連結具20Bのほぞ溝40Bの下溝400Bの斜底壁410Bとが接触すると同時に、当該ほぞ30Bのほぞ外側面32Bがパネル連結具20Bの第1凸条43Bの当接面432Bに当接する（図22に示すとおり）。このとき、ほぞ30Bを備えるパネルユニット10Bを、同じ平面においてこれ以上ほぞ溝40Bを備えるパネル連結具20Bへ押さえることができなくなる。即ち、上記L1B＜L2Bの技術要点に基づき、本発明のほぞ30Bを備えるパネルユニット10Bを、ほぞ溝40Bを備えるパネル連結具20Bへ押さえる組立過程において、当該ほぞ30Bのほぞ外側面32Bがパネル連結具20Bの第1凸条43Bの当接面432Bに当接し、当該第1凸階34Bの当接面342Bがロックタング24Bのロックタング側壁240Bに当接するときに、そのほぞ30Bの下突起300Bは既にパネル連結具20Bのほぞ溝40Bの下溝400Bの上方範囲に落ちた。このように、本発明では、押圧することでパネルユニット10Bとパネル連結具20Bとの間のロック係合を完成することができる。
【０１０１】
図22に示す状態は、本発明のパネルユニット10Bをパネル連結具20Bへ移動させるステップの説明を便利にするためのものであり、実際に、右側のパネルユニット10Bが重力により下へ移動するので、その下突起300Bの内斜面302Bとパネル連結具20Bのほぞ溝40Bの下溝400Bの斜底壁410Bとが接触する。パネルユニット10Bとパネル連結具20Bとが互いに接近している過程において、パネルユニット10Bのほぞ30Bのほぞ外側面32Bとパネル連結具20Bの第1凸条43Bの当接面432Bとが当接する前であって、パネルユニット10Bの第1凸階34Bの当接面342Bとパネル連結具20Bのロックタング24Bの側壁240Bとが当接する前に、パネルユニット10Bとパネル連結具20Bとの間には斜面の接触しかないので、パネルユニット10Bの移動過程において相当便利になり、ツールによる叩き又は大きな外力の印加により、パネルユニット10Bの構造を変形させる必要はない。
【０１０２】
●技術要点：パネルユニット10Bのほぞ30Bの下突起300Bの最低点とそのほぞ30Bのほぞ外側面32Bの最高点との垂直延伸線の間の水平距離L1Bは、パネル連結具20Bのほぞ溝40Bの斜底壁410Bの最低点と第1凸条43Bの当接面432Bの最低点との垂直延伸線の間の水平距離L4Bよりも大きく、図22に示すように、L1B＞L4Bである。
【０１０３】
本発明のほぞ30Bを備えるパネルユニット10Bを、ほぞ溝40Bを備えるパネル連結具20Bへ押さえる際に、当該ほぞ30Bのほぞ外側面32Bがパネル連結具20Bの第1凸条43Bの当接面432Bに当接すると、そのほぞ30Bの下突起300Bは既にパネル連結具20Bのほぞ溝40Bの下溝400Bの上方範囲に落ちた（図22に示すとおり）。上記L1B＞L4Bの技術要点に基づき、当該ほぞ30Bの下突起300Bの最低点はまだほぞ溝40Bの斜底壁410Bの最低点に当たっていない。このように、本発明では、押圧することでパネルユニット10B間のロック係合を完成することができる。
【０１０４】
●技術要点：パネルユニット10Bのタング溝底面330Bと第1凸階34Bの当接面342Bの最外側との垂直延伸線の間の水平距離L5Bは、パネル連結具20Bのほぞ溝40Bの上方のロックタング側壁240Bの最外側とほぞ溝40Bの内溝壁42Bの最高点との垂直延伸線の間の水平距離L6Bよりも小さく、図23に示すように、L5B＜L6Bである。
【０１０５】
●技術要点：パネルユニット10Bのタング溝底面330Bとほぞ外側面32Bの最高点との垂直延伸線の間の水平距離L7Bは、パネル連結具20Bのロックタング側壁240Bの最外側と第1凸条43Bの当接面432Bの最低点との垂直延伸線の間の水平距離L8Bよりも大きく、図23に示すように、L7B＞L8Bである。
【０１０６】
そして、パネルユニット10Bとパネル連結具20Bの接続部から、持ち上げられたパネルユニット10Bを下へ押圧する（図23に示す矢印のところ）。このとき、当該ほぞ30Bのほぞ外側面32Bがほぞ溝40Bの第1凸条43Bの当接面432Bに当接し、第1凸階34Bの当接面342Bがロックタング側壁240Bに当接しているので、パネルユニット10Bとパネル連結具20Bとの間は、同じ平面においてこれ以上接近できなくなる。ほぞ30Bの下突起300Bの内斜面302Bがほぞ溝40Bの斜底壁410Bに対して付勢することにより、ほぞ溝40Bの下方材料に弾性変形が生じ、ほぞ30Bが下へ変位し、ほぞ溝40Bに収容される。
【０１０７】
図23に示すように、ほぞ30Bを備えるパネルユニット10Bが下へ押圧されると、ほぞ溝40Bの下方材料に弾性変形が生じ、図24の部分拡大模式図に示す破線と実線の変化部分は、ほぞ溝40Bの下方材料に弾性変形が生じる部分である。ほぞ溝40Bの下方材料に弾性変形が生じ、当該ほぞ30Bのほぞ外側面32Bと当該ほぞ溝40Bの第1凸条43Bの当接面432Bがずれ、第1凸階34Bの当接面342Bとロックタング側壁240Bがずれるようになるまで、ほぞ30Bをほぞ溝40Bに対して下へ変位させると、ほぞ30Bは、下突起300Bの内斜面302Bとほぞ溝40Bの斜底壁410Bの案内により、下突起300Bを当該ほぞ溝40Bの下溝400Bに嵌入させ、即ち、ロックブロック23Bをロック溝72Bに係合させる。同時に、当該ほぞ溝40Bの下方材料が自身の弾性で元の位置に戻ることにより、当該ほぞ30Bのほぞ頂面31Bが第1凸条43Bの係止面431Bの下方に当接し、ほぞ30Bの第1凸階34Bの係止面341Bがロックタング24Bの下面の上溝壁41Bの下方に当接し、パネルユニット10Bとパネル連結具20Bとの間において、ほぞ30Bとほぞ溝40Bはロック位置決めされるように係合される。これにより、パネルユニット10Bが変位してパネル連結具20Bから外れることができないようにすることができる（図25に示すとおり）。
【０１０８】
当該ロック係合位置決めにより、本発明のほぞ30Bのほぞ頂面31Bと第1凸条43Bの係止面431Bとが当接し、ほぞ30Bの第1凸階34Bの係止面341Bとロックタング24Bの下面の上溝壁41Bとが当接し、ロックブロック23Bがロック溝72Bに係合され、そのほぞ30Bの下突起300Bの内斜面302Bとほぞ溝40Bの斜底壁410Bとが当接する。本発明のパネルユニット10Bのほぞ30Bは、ほぞ溝40Bの下方材料に弾性変形が生じた状態において、ほぞ30Bをほぞ溝40Bに嵌入させ、かつほぞ30Bがほぞ溝40Bに嵌入され、ロック位置決めされた後に、当該ほぞ溝40Bの下方材料が自身の弾性で元の位置に戻るので、本発明のほぞ30Bのほぞ頂面31Bの最外端から内斜面302Bと斜底壁410Bとの当接点のいずれかまでの距離は、ほぞ溝40Bの第1凸条43Bの係止面431Bと当接面432Bとの交点から斜底壁410Bにおける対応する当接点までの距離よりも大きく、本発明の第3好ましい実施例のほぞ30Bは、ほぞ溝40Bの下方材料に変形が生じない限り、ほぞ溝40Bから外れることができない。したがって、本発明のほぞ30Bとほぞ溝40Bとの間には、最適なパネルロック接続効果を有することができる。
【０１０９】
図26は、本発明の第3好ましい実施例の一変形実施例のパネルユニット10B'およびパネル連結具20Bの端面の断面構造の模式図であり、図中に示すパネル連結具20Bは前記第3好ましい実施例のものと同じであるが、当該パネルユニット10B'は、そのほぞ30B'の下突起300B'の外斜面301B'においてほぞ外側面32B'と内斜面302B'とが斜面で接続されている。
【０１１０】
図27の斜視図を併せて参照し、当該右側のパネルユニット10B'は平面でパネル連結具20B'に接近する時に、当該斜面を呈している外斜面301B'でパネル連結具20Bと接触し、パネル連結具20Bのロックブロック23B側の案内面420Bに沿って持ち上げられることができる。
【０１１１】
図28〜図30は、本発明の第3好ましい実施例のパネルユニット10Bとパネル連結具20Bの組立過程の斜視模式図であり、図中には当該パネルユニット10Bが押圧されることでパネル連結具20Bと結合されることが示される。
【第４好ましい実施例】
【０１１２】
第4好ましい実施例は第3好ましい実施例の変形である。
【０１１３】
図31に示すように、当該パネル連結具20Cは、ベース板21Cと、ベース板21Cの上面中間に位置する直立部22Cとを有し、当該ベース板21Cの底面が底壁210Cであり、両側がベース板側壁211Cである。当該ベース板21Cの上面の両側寄りに、上に突出したロックブロック23Cが形成され、当該直立部22Cの頂部に、両側へ横向きに突出したロックタング24Cが形成され、当該ロックタング24Cの側面がロックタング側壁240Cであり、当該直立部22Cの頂面が頂壁220Cである。この第4好ましい実施例において、頂壁220Cに深い溝221Cが2本設けられているとともに、当該2本の溝221Cの中央に浅い溝222Cが1本設けらている。当該直立部22Cのロックタング24Cとベース板21Cのロックブロック23Cとの間にほぞ溝40Cが形成されており、当該ほぞ溝40Cは、ロックタング24Cの下面に上溝壁41Cが形成され、直立部22Cの側辺に内溝壁42Cが形成され、ベース板21Cの上面に下溝400Cが形成されている。前記ロックブロック23Cは、当該下溝400Cとベース板側壁211Cとの間に形成され、当該ロックブロック23Cの断面がテーパ状をしている。当該下溝400Cのロックブロック23C寄りの内側に斜底壁410Cが形成されている。当該ほぞ溝40Cの上溝壁41Cと内溝壁42Cとの間に第1凸条43Cおよび第2凸条44Cが形成され、前記第1凸条43Cの底面が係止面431Cであり、側面が当接面432Cであり、前記第2凸条44Cの底面が係止面441Cであり、側面が当接面442Cである。
【０１１４】
当該ベース板21Cの底面の底壁210Cに、当該パネル連結具20Cの長手方向に沿う浅溝212Cが3本形成されている。
【０１１５】
さらに、図31から分かるように、当該パネル連結具20Cの直立部22Cの頂部における両ロックタング24Cのロックタング側壁240Cの間の距離は、当該ベース板21Cの底壁における両側のベース板側壁211Cの間の距離よりも小さい。
【０１１６】
当該ロックブロック23Cの最高点とベース板側壁211Cとの間における当該ロックブロック23Cの外側には、傾斜している案内面420Cが形成されている。
【０１１７】
図32、図33に示すロック式パネルの側面断面構造の模式図を併せて参照し、当該パネルユニット10Cの側辺に、当該側辺の内側に凹むタング溝33Cが形成され、当該タング溝33Cの底面がタング溝底面330Cである。当該タング溝33Cの上方に、パネルユニット10Cの側辺へ突出した上突起70Cが形成され、当該上突起70Cの外端面が上突起端面701Cであり、当該上突起70Cの底面が上突起底面702Cである。当該パネルユニット10Cの第2平面の側辺寄りに、上に凹むロック溝72Cが形成され、当該ロック溝72Cにおける当該パネルユニット10Cの側辺に向かう面がロック溝内側面721Cである。当該タング溝33Cとロック溝72Cとの間に、突出したほぞ30Cが形成され、当該ほぞ30Cの上方においてタング溝33Cに向かう側がほぞ頂面31Cであり、当該ほぞ30Cにおけるパネルユニット10Cの側辺に向かう側がほぞ外側面32Cであり、当該ほぞ30Cのほぞ外側面32Cは当該上突起70Cの上突起端面701Cを超えていない。当該ほぞ頂面31Cとタング溝底面330との境界に、第1凸階34Cと第2凸階35Cとが形成され、当該第1凸階34Cの頂面が係止面341Cであり、側面が当接面342Cであり、当該第2凸階35Cの頂面が係止面351Cであり、側面が当接面352Cである。当該ほぞ30Cは、パネル連結具20Cとの結合時にパネル連結具20Cのほぞ溝40Cに嵌設可能である。当該ほぞ30Cは、結合位置決め時にパネル連結具20Cの下溝400Cに収容される下突起300Cを有し、当該下突起300Cの外側においてほぞ外側面32Cと繋がる面が外斜面301Cであり、当該下突起300Cの内側においてロック溝72Cに向かう面が内斜面302Cである。
【０１１８】
パネルユニットの下突起300Cの外斜面301Cおよび内斜面302Cは、この第4好ましい実施例において弧面である。
【０１１９】
図32、33、34、35、36、38は本発明の第4好ましい実施例の組立過程の断面模式図であり、図32には、左側のパネルユニット10Cは、既に位置決めされるように当該パネル連結具20Cと結合され、右側のほぞ30Cを備えるパネルユニット10Cは、同じ平面においてほぞ溝40Cを備えるパネル連結具20Cに向かって移動し、当接していることが示される。
【０１２０】
パネルユニット10Cとパネル連結具20Cが同じ平面において接触すると、パネルユニット10Cのほぞ30Cの外斜面301Cはパネル連結具20Cのほぞ溝40Cのロックブロック23Cの案内面420Cに当たる。
【０１２１】
●技術要点：パネルユニット10Cとパネル連結具20Cとが同じ平面において接近し接触すると、その接触位置の少なくとも一方側は斜面又は弧面である。これにより、パネルユニット10Cとパネル連結具20Cとが接近し続けると、その接触位置の斜面によって、パネルユニット10Cを案内してパネル連結具20Cのエッジでその高さを変化させることができる。図32に示す第4好ましい実施例において、ほぞ30Cを備えるパネルユニット10Cのエッジが斜面により案内され、持ち上げられる。
【０１２２】
ほぞ30Cを備えるパネルユニット10Cを、ほぞ溝40Cを備えるパネル連結具20Cへ押さえ続けると、当該ほぞ30Cの傾斜している外斜面301Cとほぞ溝40Cのロックブロック23Cの案内面420Cとが接触することにより、当該パネルユニット10Cが案内され、持ち上げられる。
【０１２３】
当該ほぞ30Cを備えるパネルユニット10Cの下突起300Cの最低点が、ほぞ溝40Cを備えるパネル連結具20Cのロックブロック23Cの最高点まで移動すると（図33に示すとおり）、当該パネルユニット10Cはこれ以上に持ち上げられない。
【０１２４】
●技術要点：パネルユニット10Cのほぞ30Cの下突起300Cの最低点とそのほぞ外側面32Cの最高点との垂直延伸線の間の水平距離L1Cは、パネル連結具20Cのロックブロック23Cの最高点と当該第2凸条44Cの当接面442Cの最低点との垂直延伸線の間の水平距離L2Cよりも小さく、図34に示すように、L1C＜L2Cである。
【０１２５】
ほぞ30Cを備えるパネルユニット10Cを、ほぞ溝40Cを備えるパネル連結具20Cへ押さえ続けると、そのほぞ30Cの下突起300Cはパネル連結具20Cのほぞ溝40Cの下溝400Cに落ち始める。これによって、ほぞ30Cの下突起300Cの内斜面302Cとパネル連結具20Cのほぞ溝40Cの下溝400Cの斜底壁410Cが接触すると同時に、当該ほぞ30Cのほぞ外側面32Cがパネル連結具20Cの第1凸条43Cの当接面432Cに当接し、第1凸階34Cの当接面342Cが第2凸条44Cの当接面442Cに当接し、第2凸階35Cの当接面352Cがロックタング側壁240Cに当接する（図35に示すとおり）。このとき、ほぞ30Cを備えるパネルユニット10Cを、同じ平面においてこれ以上ほぞ溝40Cを備えるパネル連結具20Cへ押さえることができなくなる。即ち、上記L1C＜L2Cの技術要点に基づき、本発明のほぞ30Cを備えるパネルユニット10Cを、ほぞ溝40Cを備えるパネル連結具20Cへ押さえる組立過程において、当該ほぞ30Cのほぞ外側面32Cがパネル連結具20Cの第1凸条43Cの当接面432Cに当接し、第1凸階34Cの当接面342Cが第2凸条44Cの当接面442Cに当接し、第2凸階35Cの当接面352Cがロックタング側壁240Cに当接するときに、そのほぞ30Cの下突起300Cは既にパネル連結具20Cのほぞ溝40Cの下溝400Cの上方範囲に落ちた。このように、本発明では、押圧することでパネルユニット10Cとパネル連結具20Cとの間のロック係合を完成することができる。
【０１２６】
図34および図35に示す状態は、本発明のパネルユニット10Cをパネル連結具20Cへ移動させるステップの説明を便利にするためのものであり、実際に、右側のパネルユニット10Cが重力により下へ移動するので、その下突起300Cの内斜面302Cとパネル連結具20Cのほぞ溝40Cの下溝400Cの斜底壁410Cとが接触する。パネルユニット10Cとパネル連結具20Cとが互いに接近している過程において、パネルユニット10Cのほぞ30Cのほぞ外側面32Cとパネル連結具20Cの第1凸条43Cの当接面432Cとが、および/又は、第1凸階34Cの当接面342Cと第2凸条44Cの当接面442Cとが、および/又は、第2凸階35Cの当接面352Cとロックタング側壁240Cとが当接する前に、パネルユニット10Cとパネル連結具20Cとの間には斜面の接触しかないので、パネルユニット10Cの移動過程において相当便利になり、ツールによる叩き又は大きな外力の印加により、パネルユニット10Cの構造を変形させる必要はない。
【０１２７】
●技術要点：パネルユニット10Cのほぞ30Cの下突起300Cの最低点とそのほぞ外側面32Cの最高点との垂直延伸線の間の水平距離L1Cは、パネル連結具20Cのほぞ溝40Cの斜底壁410Cの最低点と第2凸条44Cの当接面442Cの最低点との垂直延伸線の間の水平距離L4Cよりも大きく、図34に示すように、L1C＞L4Cである。
【０１２８】
本発明のほぞ30Cを備えるパネルユニット10Cを、ほぞ溝40Cを備えるパネル連結具20Cへ押さえる際に、当該ほぞ30Cのほぞ外側面32Cがパネル連結具20Cの第2凸条44Cの当接面442Cに当接すると、そのほぞ30Cの下突起300Cは既にパネル連結具20Cのほぞ溝40Cの下溝400Cの上方範囲に落ちた（図34に示すとおり）。上記L1C＞L4Cの技術要点に基づき、当該ほぞ30Cの下突起300Cの最低点はまだほぞ溝40Cの斜底壁410Cの最低点に当たっていない。このように、本発明では、押圧することでパネルユニット10C間のロック係合を完成することができる。
【０１２９】
●技術要点：パネルユニット10Cのタング溝底面330Cと第1凸階34Cの当接面342Cの最外側との垂直延伸線の間の水平距離L5Cは、パネル連結具20Cのほぞ溝40Cの上方のロックタング側壁240Cの最外側とほぞ溝40Cの内溝壁42Cの最高点との垂直延伸線の間の水平距離L6Cよりも小さく、図35に示すように、L5C＜L6Cである。
【０１３０】
●技術要点：パネルユニット10Cのタング溝底面330Cとほぞ外側面32Cの最高点との垂直延伸線の間の水平距離L7Cは、パネル連結具20Cのロックタング側壁240Cの最外側と第1凸条43Cの当接面432Cの最高点との垂直延伸線の間の水平距離L8Cよりも大きく、図35に示すように、L7C＞L8Cである。
【０１３１】
そして、パネルユニット10Cとパネル連結具20Cの接続部から、持ち上げられたパネルユニット10Cを下へ押圧する（図35に示す矢印のところ）。このとき、当該ほぞ30Cのほぞ外側面32Cがほぞ溝40C第1凸条43Cの当接面432Cに当接し、第1凸階34Cの当接面342Cが第2凸条44Cの当接面442Cに当接し、第2凸階35Cの当接面352Cがロックタング側壁240Cに当接しているので、パネルユニット10Cとパネル連結具20Cとの間は、同じ平面においてこれ以上接近できなくなる。ほぞ30Cの下突起300Cの内斜面302Cがほぞ溝40Cの斜底壁410Cに対して付勢することにより、ほぞ溝40Cの下方材料に弾性変形が生じ、ほぞ30Cが下へ変位し、ほぞ溝40Cに収容される。
【０１３２】
図36に示すように、ほぞ30Cを備えるパネルユニット10Cが下へ押圧されると、ほぞ溝40Cの下方材料に弾性変形が生じ、図37の部分拡大模式図に示す破線と実線の変化部分は、ほぞ溝40Cの下方材料に弾性変形が生じる部分である。ほぞ溝40Cの下方材料に弾性変形が生じ、当該ほぞ30Cのほぞ外側面32Cと当該ほぞ溝40Cの第1凸条43Cの当接面432Cがずれ、第1凸階34Cの当接面342Cと第2凸条44Cの当接面442Cがずれ、第2凸階35Cの当接面352Cとロックタング側壁240Cがずれるようになるまで、ほぞ30Cをほぞ溝40Cに対して下へ変位させると、ほぞ30Cは、下突起300Cの内斜面302Cとほぞ溝40Cの斜底壁410Cとの案内により、下突起300Cを当該ほぞ溝40Cの下溝400Cに嵌入させ、即ち、ロックブロック23Cをロック溝72Cに係合させる。同時に、当該ほぞ溝40Cの下方材料が自身の弾性で元の位置に戻ることにより、当該ほぞ30Cのほぞ頂面31Cが第1凸条43Cの係止面431Cの下方に当接し、第1凸階34Cの係止面341Cが第2凸条44Cの係止面441Cの下方に当接し、第2凸階35Cの係止面351Cがほぞ溝40Cの上溝壁41Cの下方に当接し、パネルユニット10Cのほぞ30Cとパネル連結具20Cのほぞ溝40Cがロック位置決めされるように係合される。これにより、パネルユニット10Cが変位してパネル連結具20Cから外れることができないようにすることができる（図38に示すとおり）。
【０１３３】
図39、図40、図41は本発明の第4好ましい実施例のパネル連結具の3つの変形実施例の端面の断面構造の模式図であり、それらの基本構造は前記第4好ましい実施例と同じであるが、これらのパネル連結具の頂壁の構造が異なっている。図39におけるパネル連結具20C'の頂壁220C'に広溝223C'が1本設けられ、当該広溝223C'の底面に溝224C'が1本設けられている。図40におけるパネル連結具20C''の頂壁220C''にロックタング24C''の部分を弾性変形可能にする中央凹溝225C''が1本設けられている。図41におけるパネル連結具20C'''の頂壁220C'''が平坦な平面である。
【第５好ましい実施例】
【０１３４】
第5好ましい実施例は第3好ましい実施例の変形である。
【０１３５】
図42は本発明の第5好ましい実施例のパネル連結具20Dの端面の断面構造の模式図であり、同図に示すように、当該パネル連結具20Dは、ベース板21Dと、ベース板21Dの上面中間に位置する直立部22Dとを有し、当該ベース板21Dの底面が底壁210Dであり、両側がベース板側壁211Dである。当該ベース板21Dの上面の両側寄りに、上に突出したロックブロック23Dが形成され、当該直立部22Dの頂部に、両側へ横向きに突出したロックタング24Dが形成され、当該ロックタング24Dの側面がロックタング側壁240Dであり、
当該直立部22Dの頂面が頂壁220Dである。この第5好ましい実施例において、頂壁220Dに溝221Dが3本設けられている。当該直立部22Dのロックタング24Dとベース板21Dのロックブロック23Dとの間にほぞ溝40Dが形成されており、当該ほぞ溝40Dは、ロックタング24Dの下面に上溝壁41Dが形成され、直立部22Dの側辺に内溝壁42Dが形成され、ベース板21Dの上面に下溝400Dが形成されている。前記ロックブロック23Dは、当該下溝400Dとベース板側壁211Dとの間に形成され、当該ロックブロック23Dの断面がテーパ状をしている。当該下溝400Dのロックブロック23D寄りの内側に斜底壁410Dが形成されている。当該ほぞ溝40Dの上溝壁41Dと内溝壁42Dとの間に第1凸条43Dが形成され、前記第1凸条43Dの底面が係止面431Dであり、側面が当接面432Dである。当該内溝壁42Dと下溝400Dの斜底壁410Dとの間に、上隆起部60Dが形成され、当該上隆起部60Dの外側において下溝400Dの斜底壁410Dと繋がる面が側斜面601Dであり、当該上隆起部60Dの上側において内溝壁42Dと繋がる面が上斜面602Dである。
【０１３６】
さらに、図42から分かるように、当該パネル連結具20Dの直立部22Dの頂部における両ロックタング24Dのロックタング側壁240Dの間の距離は、当該ベース板21Dの底壁における両側のベース板側壁211Dの間の距離よりも小さい。
【０１３７】
当該ロックブロック23Dの最高点とベース板側壁211Dとの間における当該ロックブロック23Dの外側には、傾斜している案内面420Dが形成されている。
当該ベース板21Dの底面の底壁210Dに、当該パネル連結具20Dの長手方向に沿う浅溝212Dが3本形成されている。
【０１３８】
図43は本発明の第5好ましい実施例のパネルユニット10Dの側面断面構造の模式図であり、同図に示すように、当該パネルユニット10Dの側辺に、当該側辺の内側に凹むタング溝33Dが形成され、当該タング溝33Dの底面がタング溝底面330Dである。当該タング溝33Dの上方に、パネルユニット10D側辺へ突出した上突起70Dが形成され、当該上突起70Dの外端面が上突起端面701Dであり、当該上突起70Dの底面が上突起底面702Dである。当該パネルユニット10Dの第2平面の側辺寄りに、上に凹むロック溝72Dが形成され、当該ロック溝72Dにおける当該パネルユニット10Dの側辺に向かう面がロック溝内側面721Dである。当該タング溝33Dとロック溝72Dとの間にほぞ30Dが形成され、当該ほぞ30Dの上方においてタング溝33Dに向かう側がほぞ頂面31Dであり、当該ほぞ30Dにおけるパネルユニット10Dの側辺に向かう側がほぞ外側面32Dであり、当該ほぞ30Dのほぞ外側面32Dは当該上突起70Dの上突起端面701Dを超えていない。当該ほぞ30Dは、パネル連結具20Dとの結合時にパネル連結具20Dのほぞ溝40Dに嵌設可能である。当該ほぞ30Dは、結合位置決め時にパネル連結具20Dの下溝400Dに収容される下突起300Dを有し、当該下突起300Dの内側におけるロック溝72Dに向かう面が内斜面302Dである。当該ほぞ頂面31Dとタング溝底面330Dとの境界に、第1凸階34Dが形成され、当該第1凸階34Dの頂面が係止面341Dであり、側面が当接面342Dである。当該ほぞ外側面32Dと下突起300Dの内斜面302Dとの間に上溝51Dが形成され、当該上溝51Dの外側においてほぞ外側面32Dと繋がる面が上側斜面511Dであり、当該上溝51Dの内側において内斜面302Dと繋がる面が外斜面512Dである。
【０１３９】
当該パネルユニット10Dの下突起300Dの内斜面302Dは弧面であり、上溝51Dの外斜面512Dおよび上側斜面511Dは斜面である。
【０１４０】
図44、45、46、48は本発明の第5好ましい実施例の組立過程の断面模式図であり、図44には、左側のパネルユニット10Dは既に位置決めされるように当該パネル連結具20Dと結合され、右側のほぞ30Dを備えるパネルユニット10Dは、同じ平面においてほぞ溝40Dを備えるパネル連結具20Dに向かって移動し、当接していることが示される。
【０１４１】
パネルユニット10Dとパネル連結具20Dが同じ平面において接触すると、パネルユニット10Dの上溝51Dの外斜面512Dはパネル連結具20Dのロックブロック23Dの案内面420Dに当たる。
【０１４２】
●技術要点：パネルユニット10Dとパネル連結具20Dとが同じ平面において接近し接触すると、その接触位置の少なくとも一方側は斜面又は弧面である。これにより、パネルユニット10Dとパネル連結具20Dとが接近し続けると、その接触位置の斜面によって、パネルユニット10Dを案内してパネル連結具20Dのエッジでその高さを変化させることができる。ほぞ30Dを備えるパネルユニット10Dのエッジが斜面により案内され、持ち上げられる。
【０１４３】
ほぞ30Dを備えるパネルユニット10Dを、ほぞ溝40Dを備えるパネル連結具20Dへ押さえ続けると、当該ほぞ30Dの上溝51Dの傾斜している外斜面512Dとほぞ溝40Dのロックブロック23Dの案内面420Dとが接触することにより、当該パネルユニット10Dが案内され、持ち上げられる。
【０１４４】
当該ほぞ30Dを備えるパネルユニット10Dの下突起300Dの最低点が、ほぞ溝40Dを備えるパネル連結具20Dのロックブロック23Dの最高点まで移動すると、当該パネルユニット10Dはこれ以上に持ち上げられない。
【０１４５】
●技術要点：パネルユニット10Dのほぞ30Dの下突起300Dの最低点とそのほぞ30Dのほぞ外側面32Dの最高点との垂直延伸線の間の水平距離L1Dは、パネル連結具20Dのロックブロック23Dの最高点と当該第1凸条43Dの当接面432Dの最低点との垂直延伸線の間の水平距離L2Dよりも小さく、図45に示すように、L1D＜L2Dである。
【０１４６】
ほぞ30Dを備えるパネルユニット10Dを、ほぞ溝40Dを備えるパネル連結具20Dへ押さえ続けると、そのほぞ30Dの下突起300Dはパネル連結具20Dのほぞ溝40Dの下溝400Dに落ち始める。これによって、ほぞ30Dの下突起300Dの内斜面302Dとパネル連結具20Dの下溝400Dの斜底壁410Dとが接触すると同時に、当該ほぞ30Dのほぞ外側面32Dがパネル連結具20Dの第1凸条43Dの当接面432Dに当接し、第1凸階34Dの当接面342Dがロックタング側壁240Dに当接する（図45に示すとおり）。このとき、ほぞ30Dを備えるパネルユニット10Dを、同じ平面においてこれ以上ほぞ溝40Dを備えるパネル連結具20Dへ押さえることができなくなる。即ち、上記L1D＜L2Dの技術要点に基づき、本発明のほぞ30Dを備えるパネルユニット10Dを、ほぞ溝40Dを備えるパネル連結具20Dへ押さえる組立過程において、当該ほぞ30Dのほぞ外側面32Dがパネル連結具20Dの第1凸条43Dの当接面432Dに当接し、当該第1凸階34Dの当接面342Dがロックタング側壁240Dに当接するときに、そのほぞ30Dの下突起300Dは既にパネル連結具20Dの下溝400Dの上方範囲に落ちた。このように、本発明では、押圧することでパネルユニット10Dとパネル連結具20Dとの間のロック係合を完成することができる。
【０１４７】
図45に示す状態は、本発明のパネルユニット10Dをパネル連結具20Dへ移動させるステップの説明を便利にするためのものであり、実際に、右側のパネルユニット10Dが重力により下へ移動するので、その下突起300Dの内斜面302Dとパネル連結具20Dのほぞ溝40Dの下溝400Dの斜底壁410Dとが接触する。パネルユニット10Dとパネル連結具20Dとが互いに接近している過程において、パネルユニット10Dのほぞ外側面32Dとパネル連結具20Dの第1凸条43Dの当接面432Dとが、および/又は、パネルユニット10Dの第1凸階34Dの当接面342Dとパネル連結具20Dのロックタング側壁240Dとが当接する前に、パネルユニット10Dとパネル連結具20Dとの間には斜面の接触しかないので、パネルユニット10Dの移動過程において相当便利になり、ツールによる叩き又は大きな外力の印加により、パネルユニット10Dの構造を変形させる必要はない。
【０１４８】
●技術要点：パネルユニット10Dのほぞ30Dの下突起300Dの最低点とそのほぞ30Dのほぞ外側面32Dの最高点との垂直延伸線の間の水平距離L1Dは、パネル連結具20Dのほぞ溝40Dの斜底壁410Dの最低点と第1凸条43Dの当接面432Dの最低点との垂直延伸線の間の水平距離L4Dよりも大きく、図45に示すように、L1D＞L4Dである。
【０１４９】
本発明のほぞ30Dを備えるパネルユニット10Dを、ほぞ溝40Dを備えるパネル連結具20Dへ押さえる際に、当該ほぞ30Dのほぞ外側面32Dがパネル連結具20Dの第1凸条43Dの当接面432Dに当接し、および/又はパネルユニット10Dの第1凸階34Dの当接面342Dがパネル連結具20Dのロックタング側壁240Dに当接すると、そのほぞ30Dの下突起300Dは既にパネル連結具20Dの下溝400Dの上方範囲に落ちた（図46に示すとおり）。上記L1D＞L4Dの技術要点に基づき、ほぞ30Dの下突起300Dの最低点はまだ上溝51Dの斜底壁410Dの最低点に当たっていない。このように、本発明では、押圧することでパネルユニット10D間のロック係合を完成することができる。
【０１５０】
●技術要点：パネルユニット10Dのタング溝底面330Dと第1凸階34Dの当接面342Dの最外側との垂直延伸線の間の水平距離L5Dは、パネル連結具20Dのほぞ溝40Dの上方ロックタング側壁240Dの最外側とほぞ溝40Dの内溝壁42Dの最高点との垂直延伸線の間の水平距離L6Dよりも小さく、図46に示すように、L5D＜L6Dである。
【０１５１】
●技術要点：パネルユニット10Dのタング溝底面330Dとほぞ外側面32Dの最高点との垂直延伸線の間の水平距離L7Dは、パネル連結具20Dのロックタング側壁240Dの最外側と第1凸条43Dの当接面432Dの最低点との垂直延伸線の間の水平距離L8Dよりも大きく、図46に示すように、L7D＞L8Dである。
【０１５２】
そして、パネルユニット10Dとパネル連結具20Dの接続部から、持ち上げられたパネルユニット10Dを下へ押圧する（図46に示す矢印のところ）。このとき、当該ほぞ30Dのほぞ外側面32Dが第1凸条43Dの当接面432Dに当接し、第1凸階34Dの当接面342Dがロックタング側壁240Dに当接しているので、パネルユニット10Dとパネル連結具20Dとの間は、同じ平面においてこれ以上接近することができなくなる。ほぞ30Dの下突起300Dの内斜面302Dがほぞ溝40Dの斜底壁410Dに対して付勢することにより、ほぞ溝40Dの下方材料に弾性変形が生じ、ほぞ30Dが下へ変位し、ほぞ溝40Dに収容される。
【０１５３】
図46に示すように、ほぞ30Dを備えるパネルユニット10Dが下へ押圧されると、ほぞ溝40Dの下方材料に弾性変形が生じ、図47の部分拡大模式図に示す破線と実線の変化部分は、ほぞ溝40Dの下方材料に弾性変形が生じる部分である。ほぞ溝40Dの下方材料に弾性変形が生じ、ほぞ30Dのほぞ外側面32Dと第1凸条43Dの当接面432Dとがずれ、第1凸階34Dの当接面342Dとロックタング側壁240Dとがずれるようになるまで、ほぞ30Dをほぞ溝40Dに対して下へ変位させると、ほぞ30Dは、下突起300Dの内斜面302Dとほぞ溝40D斜底壁410Dとの案内により、下突起300Dを当該ほぞ溝40Dの下溝400Dに嵌入させ、上隆起部60Dをほぞ30Dの上溝51Dに嵌入させ、即ち、ロックブロック23Dをロック溝72Dに係合させる。同時に、当該ほぞ溝40Dの下方材料が自身の弾性で元の位置に戻ることにより、当該第1凸階34Dの係止面341Dがロックタング24Dの下面の上溝壁41Dの下方に当接し、ほぞ30Dのほぞ頂面31Dが第1凸条43Dの係止面431Dの下方に当接し、パネルユニット10Dとパネル連結具20Dとの間においてほぞ30Dとほぞ溝40Dはロック位置決めされるように係合される。これにより、パネルユニット10Dが変位してパネル連結具20Dから外れることができないようにすることができる（図48に示すとおり）。
【０１５４】
当該係合位置決めにより、本発明の第1凸階34Dのほぞ頂面31Dと第1凸条43Dの係止面431Dとが当接し、ほぞ30Dの第1凸階34Dの係止面341Dとロックタング24Dの下面の上溝壁41Dとが当接し、ロックブロック23Dがロック溝72Dに係合され、上隆起部60Dがほぞ30Dの上溝51Dに嵌入され、ほぞ30Dの下突起300Dの内斜面302Dとほぞ溝40Dの斜底壁410Dとが当接する。本発明のパネルユニット10Dのほぞ30Dは、ほぞ溝40Dの下方材料に弾性変形が生じた状態において、ほぞ30Dをほぞ溝40Dに嵌入させ、かつほぞ30Dがほぞ溝40Dに嵌入され、ロック位置決めされた後に、当該ほぞ溝40Dの下方材料が自身の弾性で元の位置に戻るので、本発明の第1凸階34Dの係止面341Dの最外端から内斜面302Dと斜底壁410Dとの当接点のいずれかまでの距離は、ほぞ溝40Dの第1凸条43Dの係止面431Dと当接面432Dとの交点から斜底壁410Dにおける対応する当接点までの距離よりも大きく、本発明の第5好ましい実施例のほぞ30Dは、ほぞ溝40Dの下方材料に変形が生じない限り、ほぞ溝40Dから外れることができない。したがって、本発明のほぞ30Dとほぞ溝40Dとの間には、最適なパネルロック接続効果を有することができる。
【０１５５】
図49は本発明の第5好ましい実施例の一変形実施例のパネル連結具20D'の端面の断面構造の模式図である。当該パネル連結具20D'の構造は前記第5好ましい実施例のパネル連結具20Dと同様に、ベース板21D'と、ベース板21D'の上面中間に位置する直立部22D'とを有し、当該ベース板21D'の底面が底壁210D'であり、両側がベース板側壁211D'である。当該ベース板21D'の上面の両側寄りに、上に突出したロックブロック23D'が形成され、当該直立部22D'の頂部に、両側へ横向きに突出したロックタング24D'が形成され、当該ロックタング24D'の側面がロックタング側壁240D'であり、当該直立部22D'の頂面が頂壁220D'である。この第5好ましい実施例の変形実施例において、頂壁220D'に溝221D'が3本設けられている。当該直立部22D'のロックタング24D'とベース板21D'のロックブロック23D'との間に、ほぞ溝40D'が形成されており、当該ほぞ溝40D'は、ロックタング24D'の下面に上溝壁41D'が形成され、直立部22D'の側辺に内溝壁42D'が形成され、ベース板21D'の上面に下溝400D'が形成されている。前記ロックブロック23D'は、当該下溝400D'とベース板側壁211D'との間に形成され、当該ロックブロック23D'の断面がテーパ状をしている。当下溝400D'のロックブロック23D'寄りの内側に斜底壁410D'が形成され、当該ほぞ溝40D'の上溝壁41D'と内溝壁42D'との間に、第1凸条43D'が形成され、前記第1凸条43D'の底面が係止面431D'であり、側面が当接面432D'である。当該内溝壁42D'と下溝400D'の斜底壁410D'との間に、上隆起部60D'が形成され、当該上隆起部60D'の外側において下溝400D'の斜底壁410D'と繋がる面が側斜面601D'であり、当該上隆起部60D'の上側において内溝壁42D'と繋がる面が上斜面602D'である。
【０１５６】
当該パネル連結具20D'の直立部22D'の頂部における両ロックタング24D'のロックタング側壁240D'の間の距離は、当該ベース板21D'の底壁における両側のベース板側壁211D'の間の距離よりも小さい。
【０１５７】
当該ロックブロック23D'の最高点とベース板側壁211D'との間における当該ロックブロック23D'の外側には、傾斜している案内面420D'が形成されている。
当該ベース板21D'の底面の底壁210D'に、当該パネル連結具20D'の長手方向に沿う浅溝212D'が3本形成されている。
【０１５８】
当該パネル連結具20D'のベース板21D'の両側のベース板側壁211D'は、内に凹む壁面を呈している。これにより、材料を節約できる一方、ベース板21D'のロックブロック23D'の変形効果も向上できる。
【０１５９】
当該パネル連結具20D'のロックタング24D'のロックタング側壁240D'と頂壁220D'との境界は斜面を呈している。
【０１６０】
当該パネル連結具20D'のロックタング24D'のロックタング側壁240D'と上溝壁41D'との境界は斜面を呈している。
【０１６１】
当該パネル連結具20D'の第1凸条43D'の係止面431D'と当接面432D'との境界は斜面を呈している。
【０１６２】
前記斜面は、パネルユニット10D'とパネル連結具20D'との結合過程において、良好な過度効果を提供し、結合過程における干渉度を低下させ、結合過程のスムーズさを向上させることができる。
【０１６３】
当該パネル連結具20D'のベース板21D'と直立部22D'との境界の内側には、キャビティ80D'が形成されている。直立部22D'とロックタング24D'との境界の内側には、キャビティ82D'が形成されている。これらのキャビティ80D'、82D'を設置する目的は、パネル連結具20D'の材料を節約するとともに、軽量化の効果を達成することにある。
【０１６４】
次に、図50を参照し、図50に、本発明の第5好ましい実施例の一変形実施例のパネルユニット10D'の側面断面構造が示され、図中に示すパネルユニット10D'は、表面としての第1平面と、第1平面に対向する第2平面と、1つの側辺とを有している。当該パネルユニット10D'の側辺には、当該側辺の内側に凹むタング溝33D'が形成され、当該タング溝33D'の底面がタング溝底面330D'である。当該タング溝33D'の上方には、パネルユニット10D'の側辺へ突出した上突起70D'が形成され、当該上突起70D'の外端面が上突起端面701D'であり、当該上突起70D'の底面が上突起底面702D'である。当該パネルユニット10D'の第2平面の側辺寄りに、上に凹むロック溝72D'が形成され、当該ロック溝72D'における当該パネルユニット10D'の側辺に向かう面がロック溝内側面721D'である。当該タング溝33D'とロック溝72D'との間にほぞ30D'が形成され、当該ほぞ30D'の上方におけるタング溝33D'に向かう側がほぞ頂面31D'であり、当該ほぞ30D'におけるパネルユニット10D'の側辺に向かう側がほぞ外側面32D'であり、当該ほぞ30D'のほぞ外側面32D'は当該上突起70D'の上突起端面701D'を超えていない。当該ほぞ30D'は、パネル連結具20D'との結合時に、パネル連結具20D'のほぞ溝40D'に嵌設可能であり、当該ほぞ30D'は、結合位置決め時にパネル連結具20D'の下溝400D'に収容される下突起300D'を有し、当該下突起300D'の内側においてロック溝72D'に向かう面が内斜面302D'である。当該ほぞ頂面31D'とタング溝底面330D'との境界に、第1凸階34D'が形成され、当該第1凸階34D'の頂面が係止面341D'であり、側面が当接面342D'である。当該ほぞ外側面32D'と下突起300D'の内斜面302D'との間に、上溝51D'が形成され、当該上溝51D'の外側においてほぞ外側面32D'と繋がる面が上側斜面511D'であり、当該上溝51D'の内側において内斜面302D'と繋がる面が外斜面512D'である。
【０１６５】
当該パネルユニット10D'の第1平面と上突起端面701D'との境界は斜面を呈している。
【０１６６】
当該パネルユニット10D'の上突起70D'の上突起端面701D'と上突起の底面702D'との境界は円弧面を呈している。
【０１６７】
当該パネルユニット10D'の第1凸階34D'の係止面341D'と当接面342D'との境界は斜面を呈している。
【０１６８】
当該パネルユニット10D'のほぞ30D'のほぞ頂面31D'とほぞ外側面32D'との境界は斜面を呈している。
【０１６９】
当該パネルユニット10D'の下突起300D'の内斜面302D'は斜面であり、上溝51D'の外斜面512D'および上側斜面511D'は斜面である。
【０１７０】
図50、51、52、53、55は図49における本発明の第5好ましい実施例の一変形実施例のパネル連結具20D'とパネルユニット10D'の組立過程の断面構造の模式図であり、当該パネルユニット10D'とパネル連結具20D'の組立過程は前記第5好ましい実施例のものと同じであるので、余計な説明を省略するが、図54の部分拡大模式図から分かるように、この第5好ましい実施例の一変形実施例において、ほぞ30D'を備えるパネルユニット10D'が矢印に示す方向に沿って下へ押圧されると、ほぞ溝40D'の下方材料に弾性変形が生じ、図54に示す破線と実線の変化部分はほぞ溝40D'の下方材料に弾性変形が生じる部分である。ほぞ溝40D'の下方材料に弾性変形が生じ、ほぞ30D'のほぞ外側面32D'と第1凸条43D'の当接面432D'がずれ、第1凸階34D'の当接面342D'とロックタング側壁240D'がずれるようになるまで、ほぞ30D'をほぞ溝40D'に対して下へ変位させると、ほぞ30D'は、下突起300D'の内斜面302D'とほぞ溝40D'の斜底壁410D'との案内により、下突起300D'を当該ほぞ溝40D'の下溝400D'に嵌入させ、上隆起部60D'をほぞ30D'の上溝51D'に嵌入させ、即ち、ロックブロック23D'をロック溝72D'に係合させる。同時に、当該ほぞ溝40D'の下方材料が自身の弾性で元の位置に戻ることにより、当該第1凸階34D'の係止面341D'がロックタング24D'の下面の上溝壁41D'の下方に当接し、ほぞ30D'のほぞ頂面31D'が第1凸条43D'の係止面431D'の下方に当接し、パネルユニット10D'とパネル連結具20D'との間において、ほぞ30D'とほぞ溝40D'がロック位置決めされるように係合される。これにより、パネルユニット10D'が変位してパネル連結具20D'から外れることができないようにすることができる（図55に示すとおり）。本変形実施例は、ほぞ溝40D'の下方材料に弾性変形が生じ、ほぞ30D'のほぞ外側面32D'と第1凸条43D'の当接面432D'がずれ、第1凸階34D'の当接面342D'とロックタング側壁240D'がずれるようになるまで、ほぞ30D'をほぞ溝40D'に対して下へ変位させる瞬間に、当該パネルユニット10D'の第1凸階34D'の係止面341D'と当接面342D'との境界が斜面を呈し、当該パネル連結具20D'のロックタング24D'のロックタング側壁240D'と上溝壁41D'との境界が斜面を呈し、かつ、当該パネルユニット10D'のほぞ30D'のほぞ頂面31D'とほぞ外側面32D'との境界が斜面を呈し、当該パネル連結具20D'の第1凸条43D'の係止面431D'と当接面432D'との境界が斜面を呈しているので、この瞬間に、パネルユニット10D'とパネル連結具20D'との間における相対的変位がさらにスムーズになり、突出したコーナの干渉を受けることはないことを特徴とする。
【０１７１】
図55は、本発明の第5好ましい実施例の一変形実施例における両パネルユニット10D'が1つのパネル連結具20D'の両側に位置決めされるように結合される時の断面構造の模式図である。本発明のパネルユニット10D'を取り外す時に、パネルユニット10D'のパネル連結具20D'から離れる一方側を持ち上げ、ほぞ30D'の下突起300D'の内斜面302D'に斜底壁410D'を押させることにより、パネル連結具20D'を案内して、図54に示すように弾性変形させる。これによって、パネルユニット10D'の下突起300D'をパネル連結具20D'の下溝400D'から離間させることができ、さらに、ほぞ30D'をほぞ溝40D'から離間させる。パネルユニット10D'のパネル連結具20D'から離れる一方側が持ち上げられる時に、両パネルユニット10D'の上突起70D'が互いに当接し、パネルユニット10D'の枢転の支点になる。このとき、当該パネルユニット10D'の第1平面と上突起端面701D'との境界が斜面を呈していることの効果が現れ、パネルユニット10D'の枢転時に第1平面のエッジがダメージを受けることを避けることができる。また、当該パネルユニット10D'の上突起70D'の上突起端面701D'と上突起の底面702D'との境界が円弧面を呈していることも、パネルユニット10D'の枢転時に当該位置でパネル連結具10D'の頂壁220D'との干渉が生じパネルユニット20D'の取外に影響を与えることを避けることができる。
【第６好ましい実施例】
【０１７２】
第6好ましい実施例は第3好ましい実施例の変形である。
【０１７３】
図56は本発明の第6好ましい実施例のパネル連結具20Eの端面の断面構造の模式図であり、同図に示すように、当該パネル連結具20Eは、ベース板21Eと、ベース板21Eの上面中間に位置する直立部22Eとを有し、当該ベース板21Eの底面が底壁210Eであり、両側がベース板側壁211Eである。当該ベース板21Eの上面の両側寄りには、上に突出したロックブロック23Eが形成され、当該直立部22Eの頂部に、両側へ横向きに突出したロックタング24Eが形成され、当該ロックタング24Eの側面がロックタング側壁240Eであり、当該直立部22Eの頂面が頂壁220Eである。この第6好ましい実施例において、頂壁220Eに溝221Eが2本設けられている。当該直立部22Eのロックタング24Eとベース板21Eのロックブロック23Eとの間にほぞ溝40Eが形成されており、当該ほぞ溝40Eは、ロックタング24Eの下面に上溝壁41Eが形成され、直立部22Eの側辺に内溝壁42Eが形成され、ベース板21Eの上面に下溝400Eが形成されている。前記ロックブロック23Eは、当該下溝400Eとベース板側壁211Eとの間に形成され、当該ロックブロック23Eの断面がテーパ状をしている。当該下溝400Eのロックブロック23E寄りの内側に斜底壁410Eが形成されている。当該ほぞ溝40Eの上溝壁41Eと内溝壁42Eとの間に第1凸条43Eが形成され、前記第1凸条43Eの底面が係止面431Eであり、側面が当接面432Eである。当該内溝壁42Eと下溝400Eの斜底壁410Eとの間に、上隆起部60Eが形成され、当該上隆起部60Eの外側において下溝400Eの斜底壁410Eと繋がる面が側斜面601Eであり、当該上隆起部60Eの上側において内溝壁42Eと繋がる面が上斜面602Eであり、当該側斜面601Eと上斜面602Eとの間に切欠き溝603Eが形成されている。
【０１７４】
さらに、図56から分かるように、当該パネル連結具20Eの直立部22Eの頂部における両ロックタング24Eのロックタング側壁240Eの間の距離は、当該ベース板21Eの底壁における両側のベース板側壁211Eの間の距離よりも小さい。
【０１７５】
当該ロックブロック23Eの最高点とベース板側壁211Eとの間における当該ロックブロック23Eの外側には、傾斜している案内面420Eが形成されている。
【０１７６】
当該ベース板21Eの底面の底壁210Eに、当該パネル連結具20Eの長手方向に沿う浅溝212Eが3本形成されている。
【０１７７】
当該下溝400Eのロックブロック23E寄りの内側に形成された斜底壁410Eは斜面である。
【０１７８】
当該側斜面601Eと上斜面602Eに形成された切欠き溝603Eは、当該ベース板21Eの変形力を適宜調整可能である。
【０１７９】
図57には本発明の第6好ましい実施例のパネルユニット10Eの側面断面構造が示され、同図に示すように、当該パネルユニット10Eの側辺に、当該側辺の内側に凹むタング溝33Eが形成され、当該タング溝33Eの底面がタング溝底面330Eである。当該タング溝33Eの上方に、パネルユニット10Eの側辺へ突出した上突起70Eが形成され、当該上突起70Eの外端面が上突起端面701Eであり、当該上突起70Eの底面が上突起底面702Eである。当該パネルユニット10Eの第2平面の側辺寄りに、上に凹むロック溝72Eが形成され、当該ロック溝72Eにおける当該パネルユニット10Eの側辺に向かう面がロック溝内側面721Eである。当該タング溝33Eとロック溝72Eとの間にほぞ30Eが形成され、当該ほぞ30Eの上方においてタング溝33Eに向かう側がほぞ頂面31Eであり、当該ほぞ30Eのパネルユニット10Eの側辺に向かう側がほぞ外側面32Eであり、当該ほぞ30Eのほぞ外側面32Eは当該上突起70Eの上突起端面701Eを超えていない。当該ほぞ30Eは、パネル連結具20Eとの結合時にパネル連結具20Eのほぞ溝40Eに嵌設可能である。当該ほぞ30Eは、結合位置決め時にパネル連結具20Eの下溝400Eに収容される下突起300Eを有し、当該下突起300Eの内側におけるロック溝72Eに向かう面が内斜面302Eである。当該ほぞ頂面31Eとタング溝底面330Eとの境界に、第1凸階34Eが形成され、当該第1凸階34Eの頂面が係止面341Eであり、側面が当接面342Eである。当該ほぞ外側面32Eと下突起300Eの内斜面302Eとの間に上溝51Eが形成され、当該上溝51Eの外側においてほぞ外側面32Eと繋がる面が上側斜面511Eであり、当該上溝51Eの内側において内斜面302Eと繋がる面が外斜面512Eである。
【０１８０】
当該パネルユニット10Eの下突起300Eの内斜面302E、上溝51Eの外斜面512E、および上側斜面511Eはいずれも斜面である。
【０１８１】
図57、58、59、61は本発明の第6好ましい実施例の組立過程の断面模式図であり、図57には、左側のパネルユニット10Eは既に位置決めされるように当該パネル連結具20Eと結合され、右側のほぞ30Eを備えるパネルユニット10Eは、同じ平面において、ほぞ溝40Eを備えるパネル連結具20Eに向かって移動し、当接していることが示される。
【０１８２】
パネルユニット10Eとパネル連結具20Eとが同じ平面において接触すると、パネルユニット10Eのほぞ30Eの下縁はパネル連結具20Eのロックブロック23Eの案内面420Eに当たる。
【０１８３】
●技術要点：パネルユニット10Eとパネル連結具20Eとが同じ平面において接近し接触すると、その接触位置の少なくとも一方側は斜面又は弧面である。これにより、パネルユニット10Eとパネル連結具20Eとが接近し続けると、その接触位置の斜面によって、パネルユニット10Eを案内してパネル連結具20Eのエッジでその高さを変化させることができる。図57に示す第6好ましい実施例において、ほぞ30Eを備えるパネルユニット10Eのエッジが斜面により案内され、持ち上げられる。
【０１８４】
ほぞ30Eを備えるパネルユニット10Eを、ほぞ溝40Eを備えるパネル連結具20Eへ押さえ続けると、当該ほぞ30Eの上溝51Eの傾斜している上側斜面511E、外斜面512Eと、パネル連結具20Eのロックブロック23Eの案内面420Eとが協同して当該パネルユニット10Eを案内し、持ち上げる。
【０１８５】
当該ほぞ30Eを備えるパネルユニット10Eの下突起300Eの最低点が、ほぞ溝40Eを備えるパネル連結具20Eロックブロック23Eの最高点まで移動すると、当該パネルユニット10Eはこれ以上に持ち上げられない。
【０１８６】
●技術要点：パネルユニット10Eのほぞ30Eの下突起300Eの最低点とそのほぞ30Eのほぞ外側面32Eの最高点との垂直延伸線の間の水平距離L1Eは、パネル連結具20Eのロックブロック23Eの最高点と当該第1凸条43Eの当接面432Eの最低点との垂直延伸線の間の水平距離L2Eよりも小さく、図58に示すように、L1E＜L2Eである。
【０１８７】
ほぞ30Eを備えるパネルユニット10Eを、ほぞ溝40Eを備えるパネル連結具20Eへ押さえ続けると、そのほぞ30Eの下突起300Eはパネル連結具20Eのほぞ溝40Eの下溝400Eに落ち始める。これによって、ほぞ30Eの下突起300Eの内斜面302Eとパネル連結具20Eの下溝400Eの斜底壁410Eとが接触すると同時に、当該ほぞ30Eのほぞ外側面32Eがパネル連結具20Eの第1凸条43Eの当接面432Eに当接し、第1凸階34Eの当接面342Eがロックタング側壁240Eに当接する（図58に示すとおり）。このとき、ほぞ30Eを備えるパネルユニット10Eを、同じ平面においてこれ以上ほぞ溝40Eを備えるパネル連結具20Eへ押さえることができなくなる。即ち、上記L1E＜L2Eの技術要点に基づき、本発明のほぞ30Eを備えるパネルユニット10Eを、ほぞ溝40Eを備えるパネル連結具20Eへ押さえる組立過程において、当該ほぞ30Eのほぞ外側面32Eがパネル連結具20Eの第1凸条43Eの当接面432Eに当接し、当該第1凸階34Eの当接面342Eがロックタング側壁240Eに当接するときに、そのほぞ30Eの下突起300Eは既にパネル連結具20Eの下溝400Eの上方範囲に落ちた。このように、本発明では、押圧することでパネルユニット10Eとパネル連結具20Eとの間のロック係合を完成することができる。
【０１８８】
図58に示す状態は、本発明のパネルユニット10Eをパネル連結具20Eへ移動させるステップの説明を便利にするためのものであり、実際に、右側のパネルユニット10Eが重力により下へ移動するので、その下突起300Eの内斜面302Eとパネル連結具20Eのほぞ溝40Eの下溝400Eの斜底壁410Eとが接触する。パネルユニット10Eとパネル連結具20Eが互いに接近している過程において、パネルユニット10Eのほぞ外側面32Eとパネル連結具20Eの第1凸条43Eの当接面432Eとが、および/又は、パネルユニット10Eの第1凸階34Eの当接面342Eとパネル連結具20Eのロックタング側壁240Eとが当接する前に、パネルユニット10Eとパネル連結具20Eとの間には斜面の接触しかないので、パネルユニット10Eの移動過程において相当便利になり、ツールによる叩き又は大きな外力の印加により、パネルユニット10Eとパネル連結具20Eとをほぞ溝の構造を変形させてロック係合させる必要はない。
【０１８９】
●技術要点：パネルユニット10Eのほぞ30Eの下突起300Eの最低点とそのほぞ30Eのほぞ外側面32Eの最高点との垂直延伸線の間の水平距離L1Eは、パネル連結具20Eのほぞ溝40Eの斜底壁410Eの最低点と第1凸条43Eの当接面432Eの最低点との垂直延伸線の間の水平距離L4Eよりも大きく、図58に示すように、L1E＞L4Eである。
【０１９０】
本発明のほぞ30Eを備えるパネルユニット10Eを、ほぞ溝40Eを備えるパネル連結具20Eへ押さえる際に、当該ほぞ30Eのほぞ外側面32Eがパネル連結具20Eの第1凸条43Eの当接面432Eに当接し、および/又はパネルユニット10Eの第1凸階34Eの当接面342Eがパネル連結具20Eロックタング側壁240Eに当接すると、そのほぞ30Eの下突起300Eは既にパネル連結具20Eの下溝400Eの上方範囲に落ちた（図58に示すとおり）。上記L1E＞L4Eの技術要点に基づき、ほぞ30Eの下突起300Eの最低点はまだ上溝51Eの斜底壁410Eの最低点に当たっていない。このように、本発明では、押圧することでパネルユニット10E間のロック係合を完成することができる。
【０１９１】
●技術要点：パネルユニット10Eのタング溝底面330Eと第1凸階34Eの当接面342Eの最外側との垂直延伸線の間の水平距離L5Eは、パネル連結具20Eのほぞ溝40Eの上方ロックタング側壁240Eの最外側とほぞ溝40Eの内溝壁42Eの最高点との垂直延伸線の間の水平距離L6Eよりも小さく、図59に示すように、L5E＜L6Eである。
【０１９２】
●技術要点：パネルユニット10Eのタング溝底面330Eとほぞ外側面32Eの最高点との垂直延伸線の間の水平距離L7Eは、パネル連結具20Eのロックタング側壁240Eの最外側と第1凸条43Eの当接面432Eの最低点との垂直延伸線の間の水平距離L8Eよりも大きく、図59に示すように、L7E＞L8Eである。
【０１９３】
そして、パネルユニット10Eとパネル連結具20Eの接続部から、持ち上げられたパネルユニット10Eを下へ押圧する（図59に示す矢印のところ）。このとき、当該ほぞ30Eのほぞ外側面32Eが第1凸条43Eの当接面432Eに当接し、第1凸階34Eの当接面342Eがロックタング側壁240Eに当接しているので、パネルユニット10Eとパネル連結具20Eとの間は、同じ平面においてこれ以上接近できなくなる。ほぞ30Eの下突起300Eの内斜面302Eがほぞ溝40Eの斜底壁410Eに対して付勢することにより、ほぞ溝40Eの下方材料に弾性変形が生じ、ほぞ30Eが下へ変位し、ほぞ溝40Eに収容される。
【０１９４】
図59に示すように、ほぞ30Eを備えるパネルユニット10Eが下へ押圧されると、ほぞ溝40Eの下方材料に弾性変形が生じ、図60の部分拡大模式図に示す破線と実線の変化部分は、ほぞ溝40Eの下方材料に弾性変形が生じる部分である。ほぞ溝40Eの下方材料に弾性変形が生じ、ほぞ30Eのほぞ外側面32Eと第1凸条43Eの当接面432Eとがずれ、第1凸階34Eの当接面342Eとロックタング側壁240Eとがずれるようになるまで、ほぞ30Eをほぞ溝40Eに対して下へ変位させると、ほぞ30Eは、下突起300Eの内斜面302Eとほぞ溝40Eの斜底壁410Eとの案内により、下突起300Eを当該ほぞ溝40Eの下溝400Eに嵌入させ、上隆起部60Eをほぞ30Eの上溝51Eに嵌入させ、即ち、ロックブロック23Eをロック溝72Eに係合させる。同時に、当該ほぞ溝40Eの下方材料が自身の弾性で元の位置に戻ることにより、当該第1凸階34Eの係止面341Eがロックタング24Eの下面の上溝壁41Eの下方に当接し、ほぞ30Eのほぞ頂面31Eが第1凸条43Eの係止面431Eの下方に当接し、パネルユニット10Eとパネル連結具20Eとの間において、ほぞ30Eとほぞ溝40Eはロック位置決めされるように係合される。これにより、パネルユニット10Eが変位してパネル連結具20Eから外れることができないようにすることができる（図61に示すとおり）。
【０１９５】
当該係合位置決めにより、本発明の第1凸階34Eのほぞ頂面31Eと第1凸条43Eの係止面431Eとが当接し、ほぞ30Eの第1凸階34Eの係止面341Eとロックタング24E下面の上溝壁41Eとが当接し、ロックブロック23Eがロック溝72Eに係合され、上隆起部60Eがほぞ30Eの上溝51Eに嵌入され、ほぞ30Eの下突起300Eの内斜面302Eとほぞ溝40Eの斜底壁410Eとが当接する。本発明のパネルユニット10Eのほぞ30Eは、ほぞ溝40Eの下方材料に弾性変形が生じた状態において、ほぞ30Eをほぞ溝40Eに嵌入させ、かつほぞ30Eがほぞ溝40Eに嵌入され、ロック位置決めされた後に、当該ほぞ溝40Eの下方材料が自身の弾性で元の位置に戻るので、本発明の第1凸階34Eの係止面341Eの最外端から内斜面302Eと斜底壁410Eとの当接点のいずれかまでの距離は、ほぞ溝40Eの第1凸条43Eの係止面431Eと当接面432Eとの交点から斜底壁410Eにおける対応する当接点までの距離よりも大きく、本発明の第6好ましい実施例におけるほぞ30Eは、ほぞ溝40Eの下方材料に変形が生じない限り、ほぞ溝40Eから外れることができない。したがって、本発明のほぞ30Eとほぞ溝40Eとの間には、最適なパネルロック接続効果を有することができる。
【０１９６】
図62は、本発明の第6好ましい実施例のパネル連結具の斜視模式図であり、図中からわかるように、当該パネル連結具20Eの上隆起部60Eに、必要に応じて穿孔604Eを穿設してもよく、当該穿孔604Eは当該切欠き溝603Eの位置に穿設され、作業員は、穿孔604Eを穿設する時に、ビットを切欠き溝603Eの位置に合わせることで、穿孔603Eを便利かつ精確に穿設することができる。図63の使用状態の模式図を併せて参照し、同図から分かるように、当該穿孔604Eはパネル連結具20Eを固定するためのものであり、固定釘90Eが位置決めされるように固定されると、その頭部はちょうど上隆起部60Eに埋設されるので、本発明のパネルユニットの組立に影響を与えることはない。
【第７好ましい実施例】
【０１９７】
図64は本発明の第7好ましい実施例のパネル連結具の側面の断面構造の模式図であり、当該パネル連結具20Fの構造は前記図49における実施例のパネル連結具20D'と同様に、ベース板21Fと、ベース板21Fの上面中間に位置する直立部22Fとを有し、当該ベース板21Fの底面が底壁210Fであり、両側がベース板側壁211Fである。当該ベース板21Fの上面の両側寄りに、上に突出したロックブロック23Fが形成され、当該直立部22Fの頂部に、両側へ横向きに突出したロックタング24Fが形成され、当該ロックタング24Fの側面がロックタング側壁240Fであり、当該直立部22Fの頂面が頂壁220Fである。当該頂壁220Fに溝221Fが3本設けられている。当該直立部22Fのロックタング24Fとベース板21Fのロックブロック23Fとの間にほぞ溝40Fが形成されており、当該ほぞ溝40Fは、ロックタング24Fの下面に上溝壁41Fが形成され、直立部22Fの側辺に内溝壁42Fが形成され、ベース板21Fの上面に下溝400Fが形成されている。前記ロックブロック23Fは、当該下溝400Fとベース板側壁211Fとの間に形成され、当該ロックブロック23Fの断面がテーパ状をしている。当該下溝400Fのロックブロック23F寄りの内側に斜底壁410Fが形成されている。当該ほぞ溝40Fの上溝壁41Fと内溝壁42Fとの間に第1凸条43Fが形成され、前記第1凸条43Fの底面が係止面431Fであり、側面が当接面432Fである。当該内溝壁42Fと下溝400Fの斜底壁410Fとの間に、上隆起部60Fが形成され、当該上隆起部60Fの外側において下溝400Fの斜底壁410Fと繋がる面が側斜面601Fであり、当該上隆起部60Fの上側において内溝壁42Fと繋がる面が上斜面602Fである。
【０１９８】
当該パネル連結具20Fの直立部22Fの頂部における両ロックタング24Fのロックタング側壁240Fの間の距離は、当該ベース板21Fの底壁における両側のベース板側壁211Fの間の距離よりも小さい。
【０１９９】
当該ロックブロック23Fの最高点とベース板側壁211Fとの間における当該ロックブロック23Fの外側には、傾斜している案内面420Fが形成されている。
【０２００】
当該ベース板21Fの底面の底壁210Fに、当該パネル連結具20Fの長手方向に沿う浅溝212Fが3本形成されている。
【０２０１】
当該パネル連結具20Fのベース板21Fの両側のベース板側壁211Fは、やや内に凹む壁面を呈している。これにより、材料を節約できる一方、ベース板21Fのロックブロック23Fの変形効果も少し向上できる。
【０２０２】
当該パネル連結具20Fのロックタング24Fのロックタング側壁240Fと頂壁220Fとの境界は斜面を呈している。
【０２０３】
当該パネル連結具20Fのロックタング24Fのロックタング側壁240Fと上溝壁41Fとの境界は斜面を呈している。
【０２０４】
当該パネル連結具20Fの第1凸条43Fの係止面431Fと当接面432Fとの境界は斜面を呈している。
【０２０５】
当該パネル連結具20Fはプラスチックから製造され、当該ベース板21Fと直立部22Fとの境界の内側に、キャビティ80Fが形成され、直立部22Fとロックタング24Fとの境界の内側に、キャビティ82Fが形成されている。これらのキャビティ80F、82Fを設置する目的は、パネル連結具20Fの材料を節約するとともに、軽量化の効果を達成することにある。
【０２０６】
図中から分かるように、当該パネル連結具20Fのほぞ溝40Fの壁面に、薄膜状の緩衝層が一層設けられ、当該緩衝層は、斜底壁410F、側斜面601F、上斜面602F、内溝壁42F、係止面431F、当接面432F、および上溝壁41Fの表面に覆っている。また、当該ロックタング24Fのロックタング側壁240Fの表面にも緩衝層が設置されている。当該緩衝層の材料は、パネル連結具20Fの材料よりも軟質で、パネルユニットとパネル連結具20Fの結合時にパネル連結具20Fにより優れた変形効果を提供でき、パネルユニットの組立をより楽で円滑にするとともに、パネルユニットの結合が完成後、当該緩衝層により、パネルユニットとパネル連結具20Fとの間の緩衝作用を提供する。これにより、パネルユニットとパネル連結具20Fとの間の摩擦力を低減させることができ、パネルユニットとパネル連結具20Fとの間に、材料の膨縮又は受圧による変位により互いに摩擦し騒音を発生する問題を解決する。
【０２０７】
この実施例において、前記緩衝層は軟質なプラスチックであってもよく、生産時に、パネル連結具20Fの材料とともに二層共押出の加工方式により製造することができる。
【０２０８】
図65は、本発明の第7好ましい実施例の一変形実施例のパネル連結具の側面断面構造の模式図であり、当該パネル連結具20F'の構造は前記図64における実施例のパネル連結具20Fと同じであるが、当該ほぞ溝40F'の壁面に覆う薄膜状の緩衝層は、斜底壁410F'、側斜面601F'、上斜面602F'、内溝壁42F'、係止面431F'、当接面432F'、上溝壁41F'、およびロックタング側壁240F'の表面だけではなく、当該直立部22F'の頂壁220F'の表面にも、もちろん当該頂壁220F'上の溝221F'の表面にも覆っている。
【第８好ましい実施例】
【０２０９】
図66は、本発明の第8好ましい実施例のパネル連結具の側面の断面構造の模式図であり、当該パネル連結具20Gの輪郭構造は前記図65における実施例のパネル連結具20F'と基本的に同じであり、ベース板21Gと、ベース板21Gの上面中間に位置する直立部22Gとを有し、当該ベース板21Gの底面が底壁210Gであり、両側がベース板側壁211Gである。当該ベース板21Gの上面の両側寄りに、上に突出したロックブロック23Gが形成され、当該直立部22Gの頂部に、両側へ横向きに突出したロックタング24Gが形成され、当該ロックタング24Gの側面がロックタング側壁240Gであり、当該直立部22Gの頂面が頂壁220Gである。当該頂壁220Gに溝221Gが設けられている。当該直立部22Gのロックタング24Gとベース板21Gのロックブロック23Gとの間にほぞ溝40Gが形成されており、当該ほぞ溝40Gは、ロックタング24Gの下面に上溝壁41Gが形成され、直立部22Gの側辺に内溝壁42Gが形成され、ベース板21Gの上面に下溝400Gが形成されている。前記ロックブロック23Gは、当該下溝400Gとベース板側壁211Gとの間に形成され、当該ロックブロック23Gの断面がテーパ状をしている。当該下溝400Gのロックブロック23G寄りの内側に斜底壁410Gが形成されている。当該ほぞ溝40Gの上溝壁41Gと内溝壁42Gとの間に第1凸条43Gが形成され、前記第1凸条43Gの底面が係止面431Gであり、側面が当接面432Gである。当該内溝壁42Gと下溝400Gの斜底壁410Gとの間に上隆起部60Gが形成され、当該上隆起部60Gの外側において下溝400Gの斜底壁410Gと繋がる面が側斜面601Gであり、当該上隆起部60Gの上側において内溝壁42Gと繋がる面が上斜面602Gである。
【０２１０】
当該パネル連結具20Gの直立部22Gの頂部における両ロックタング24Gのロックタング側壁240Gの間の距離は、当該ベース板21Gの底壁の両側のベース板側壁211Gの間の距離よりも小さい。
【０２１１】
当該ロックブロック23Gの最高点とベース板側壁211Gとの間における当該ロックブロック23Gの外側には、傾斜している案内面420Gが形成されている。
当該ベース板21Gの底面の底壁210Gに、当該パネル連結具20Gの長手方向に沿う浅溝212Gが3本形成されている。
【０２１２】
当該パネル連結具20Gのベース板21Gの両側のベース板側壁211Gは、やや内に凹む壁面を呈している。これにより、材料を節約できる一方、ベース板21Gのロックブロック23Gの変形効果も少し向上できる。
【０２１３】
当該パネル連結具20Gのロックタング24Gのロックタング側壁240Gと頂壁220Gとの境界は斜面を呈している。
【０２１４】
当該パネル連結具20Gのロックタング24Gのロックタング側壁240Gと上溝壁41Gとの境界は斜面を呈している。
【０２１５】
当該パネル連結具20Gの第1凸条43Gの係止面431Gと当接面432Gとの境界は斜面を呈している。
【０２１６】
当該パネル連結具20Gはプラスチックから製造され、当該ベース板21Gと直立部22Gとの境界の内側にはキャビティ80Gが形成され、当該キャビティ80Gを設置する目的は、パネル連結具20Gの材料を節約するとともに、軽量化の効果を達成することにある。
【０２１７】
当該パネル連結具20Gの直立部22Gの頂壁220G中央には、ロックタング24Gおよび第1凸条43Gの部分を弾性変形可能にする中央凹溝84Gが形成されており、当該中央凹溝84Gを設置する目的は、パネル連結具20Gのロックタング24Gおよび第1凸条43Gの弾性を向上させ、パネルユニットのほぞがパネル連結具20Gのほぞ溝40Gに押圧される時に、ほぞ溝40Gの下方材料に弾性変形を生じさせるだけでなく、同時にほぞ溝40Gの上方のロックタング24Gおよび第1凸条43Gも変形させ、これによって、パネルユニットとパネル連結具20Gの組立結合をより便利にすることにある。また、当該中央凹溝84Gの設置によって、パネル連結具20Gの材料を節約し、軽量化の効果を達成することもできる。
【０２１８】
図中から分かるように、当該パネル連結具20Gのほぞ溝40Gの壁面に、薄膜状の緩衝層が一層設けられ、当該ほぞ溝40Gの壁面に覆う薄膜状の緩衝層は、斜底壁410G、側斜面601G、上斜面602G、内溝壁42G、係止面431G、当接面432G、上溝壁41G、ロックタング側壁240G、および当該直立部22Gの頂壁220Gの表面だけでなく、当該頂壁220G上の溝221Gの表面にも覆っている。当該緩衝層の材料は、パネル連結具20Gの材料よりも軟質で、パネルユニットとパネル連結具20Gの結合時にパネル連結具20Gにより優れた変形効果を提供でき、パネルユニットの組立をより楽で円滑にするとともに、パネルユニットの結合が完成後、当該緩衝層によりパネルユニットとパネル連結具20Gとの間の緩衝作用を提供する。これにより、パネルユニットとパネル連結具20Gとの間の摩擦力を低減させることができ、パネルユニットとパネル連結具20Gとの間に、材料の膨縮又は受圧による変位により互いに摩擦し騒音を発生する問題を解決する。
【０２１９】
この実施例において、前記緩衝層は軟質なプラスチックであってもよく、生産時に、パネル連結具20Gの材料とともに二層共押出の加工方式により製造することができる。
【第９好ましい実施例】
【０２２０】
図67における好ましい実施例は図49に示す実施例の変形である。
【０２２１】
図68における好ましい実施例は図64に示す実施例の変形である。
【０２２２】
図69における好ましい実施例は図65に示す実施例の変形である。
【０２２３】
図67におけるパネル連結具20Hのロックタング24Hの頂壁220Hの中央には、一体成型された上に延出する緩衝片226Hが設けられている。
【０２２４】
図68におけるパネル連結具20H'のロックタング24H'の頂壁220H'の中央には、一体成型された上に延出する緩衝片226H'が設けられている。
【０２２５】
図69におけるパネル連結具20H''のロックタング24H''の頂壁220H''の中央には、一体成型された上に延出する緩衝片226H''が設けられている。
【０２２６】
図69における実施例を例として説明する。当該パネル連結具20H''の基本的な構造設置は図65における実施例のものと完全に同じであり、ただし、当該パネル連結具20H''のロックタング24H''の頂壁220H''の中央には、一体的に上に延出する緩衝片226H''が設けられ、当該緩衝片226H''は、パネル連結具20H'の材料よりも軟質なプラスチックから製造され、生産時にパネル連結具20の材料とともに二層共押出の加工方式により製造することができる。
【０２２７】
本実施例におけるパネル連結具20H''により両側のパネルユニットを結合する時に、当該緩衝片226H''は、両側のパネルユニットの側辺における突出した上突起の端面の間に挟まれ、これにより、両側のパネルユニットの上突起の端面の間に隔離作用を提供し、両パネルユニットの上突起の端面の間の隙間を充填する一方、両パネルユニットの上突起の端面の間に摩擦による騒音が発生しないことを確保する。
【第１０好ましい実施例】
【０２２８】
図70には、本発明の他の一つのパネルユニット10I実施例の斜視図が示され、当該パネルユニット10Iは三角形状であり、表面としての第1平面と、第1平面に対向する第2平面と、3つの側辺とを有し、そのうちの少なくとも2つの側辺に、それぞれほぞ30Iが形成され、図71の分解配列模式図を併せて参照し、図中から分かるように、本発明におけるこのようなパネルユニット10Iは、パネル連結具20Iと組み合わせてパターンに配列することができる。本発明は、押圧により組合せることを技術特徴とするので、組合せの際にパネルユニット10Iの一方の辺を浮かせて組立てる必要がなく、図72に示す配列形状に組立てることができる。
【０２２９】
この第10好ましい実施例に開示されているパネルユニット10Iおよびパネル連結具20Iは、上記各実施例におけるほぞおよびほぞ溝のいずれかと組み合わせても、本発明の所望の実用性効果を達成できる。
【０２３０】
図73は、本発明のパネルユニットを組立てる一実施例の模式図であり、図74は図73における本発明のパネルユニットを組立てる実施例の組立の部分拡大構造の模式図であり、第3好ましい実施例における構造を例として説明する。本発明のパネルユニット10Bとパネル連結具20Bとの間は押圧により結合されるので、パネルユニットの4つの辺に同じ構造のほぞ30Bを設置するとともに、同じパネル連結具20Bと組み合わせて結合することができ、構造が簡単で、操作も便利である。
【０２３１】
図75は、本発明における長尺状パネルユニットを縦に揃え、横に交互に配列するように組立て、配列する実施例の模式図であり、図76は本発明における4枚の長尺状パネルユニットで矩形ユニットに組立て、配列した後、隣り合うユニットを縦横に交互に整列する（V字形、又は人字形と俗称される）実施例の模式図である。本発明では、パネルユニットとパネル連結具を組立位置決めされるように当接させる時に、押圧することで付勢してパネルユニットのほぞとパネル連結具のほぞ溝とを係合させ、パネルユニットの一方の辺を浮かせて組立てる必要がないので、幅長比を適宜採用して様々な異なる形式の組立パターンに配列することができる。
【図１】
2015510054.tif 000003
【図２】
2015510054.tif 000004
【図３】
2015510054.tif 000005
【図４】
2015510054.tif 000006
【図５】
2015510054.tif 000007
【図６】
2015510054.tif 000008
【図７】
2015510054.tif 000009
【図８】
2015510054.tif 000010
【図９】
2015510054.tif 000011
【図１０】
2015510054.tif 000012
【図１１】
2015510054.tif 000013
【図１２】
2015510054.tif 000014
【図１３】
2015510054.tif 000015
【図１４】
2015510054.tif 000016
【図１５】
2015510054.tif 000017
【図１６】
2015510054.tif 000018
【図１７】
2015510054.tif 000019
【図１８】
2015510054.tif 000020
【図１９】
2015510054.tif 000021
【図２０】
2015510054.tif 000022
【図２１】
2015510054.tif 000023
【図２２】
2015510054.tif 000024
【図２３】
2015510054.tif 000025
【図２４】
2015510054.tif 000026
【図２５】
2015510054.tif 000027
【図２６】
2015510054.tif 000028
【図２７】
2015510054.tif 000029
【図２８】
2015510054.tif 000030
【図２９】
2015510054.tif 000031
【図３０】
2015510054.tif 000032
【図３１】
2015510054.tif 000033
【図３２】
2015510054.tif 000034
【図３３】
2015510054.tif 000035
【図３４】
2015510054.tif 000036
【図３５】
2015510054.tif 000037
【図３６】
2015510054.tif 000038
【図３７】
2015510054.tif 000039
【図３８】
2015510054.tif 000040
【図３９】
2015510054.tif 000041
【図４０】
2015510054.tif 000042
【図４１】
2015510054.tif 000043
【図４２】
2015510054.tif 000044
【図４３】
2015510054.tif 000045
【図４４】
2015510054.tif 000046
【図４５】
2015510054.tif 000047
【図４６】
2015510054.tif 000048
【図４７】
2015510054.tif 000049
【図４８】
2015510054.tif 000050
【図４９】
2015510054.tif 000051
【図５０】
2015510054.tif 000052
【図５１】
2015510054.tif 000053
【図５２】
2015510054.tif 000054
【図５３】
2015510054.tif 000055
【図５４】
2015510054.tif 000056
【図５５】
2015510054.tif 000057
【図５６】
2015510054.tif 000058
【図５７】
2015510054.tif 000059
【図５８】
2015510054.tif 000060
【図５９】
2015510054.tif 000061
【図６０】
2015510054.tif 000062
【図６１】
2015510054.tif 000063
【図６２】
2015510054.tif 000064
【図６３】
2015510054.tif 000065
【図６４】
2015510054.tif 000066
【図６５】
2015510054.tif 000067
【図６６】
2015510054.tif 000068
【図６７】
2015510054.tif 000069
【図６８】
2015510054.tif 000070
【図６９】
2015510054.tif 000071
【図７０】
2015510054.tif 000072
【図７１】
2015510054.tif 000073
【図７２】
2015510054.tif 000074
【図７３】
2015510054.tif 000075
【図７４】
2015510054.tif 000076
【図７５】
2015510054.tif 000077
【図７６】
2015510054.tif 000078
【図７７】
2015510054.tif 000079
【国際調査報告】
2015510054.tif 000080
2015510054.tif 000081
2015510054.tif 000082
2015510054.tif 000083